(57)【要約】  ワイヤレス通信を管理するための方法、システム、およびデバイスについて説明される。一実施形態では、第１のセットの１つまたは複数のユーザ機器（ＵＥ）のスケジューリング要求性能に関する情報がコンパイルされ得、情報の少なくともサブセットが第２のセットの１つまたは複数のＵＥのアップリンク電力制御設定の調整の識別をトリガするために送信され得る。別の実施形態では、スケジューリング要求を送信するためのアップリンク電力制御設定の調整の識別をトリガするための情報は、第１の複数のＵＥの各々から受信され得る。情報は解析され得、第２の複数のＵＥのうちの少なくとも１つに対するアップリンク電力制御設定のための電力調整が識別され得る。次いで、識別された電力調整は、第２の複数のＵＥのうちの少なくとも１つに送信され得る。
2016507989.tif 000002
【特許請求の範囲】
【請求項１】
ワイヤレス通信を管理するための方法であって、
第１のセットの１つまたは複数のユーザ機器（ＵＥ）のスケジューリング要求性能に関する情報をコンパイルすることと、
第２のセットの１つまたは複数のＵＥのアップリンク電力制御設定の調整の識別をトリガするための前記情報の少なくともサブセットを送信することと
を備える方法。
【請求項２】
調整された公称電力値を受信することと、
前記調整された公称電力値に従って前記アップリンク電力制御設定を調整することと
をさらに備える、請求項１に記載の方法。
【請求項３】
電力修正差分を受信することと、
前記電力修正差分に従って前記アップリンク電力制御設定を調整することと
をさらに備える、請求項１に記載の方法。
【請求項４】
電力修正命令を受信することと、
前記電力修正命令に従って前記アップリンク電力制御設定を維持することと
をさらに備える、請求項１に記載の方法。
【請求項５】
前記スケジューリング要求性能に関する情報をコンパイルすることが、
前記スケジューリング要求性能の品質レベルを決定することを備える、請求項１に記載の方法。
【請求項６】
前記スケジューリング要求性能の前記品質レベルを単一ビットの情報で表すことをさらに備える、請求項５に記載の方法。
【請求項７】
前記アップリンク電力制御設定の前記調整の前記識別をトリガするための前記情報の少なくともサブセットを送信することが、
前記スケジューリング要求性能の前記品質レベルを表す前記単一ビットの情報を送信することを備える、請求項６に記載の方法。
【請求項８】
前記スケジューリング要求性能に関する情報をコンパイルすることが、
前記スケジューリング要求性能の前記決定された品質レベルに少なくとも部分的に基づくアップリンク電力制御設定調整要求を生成することを備える、請求項５に記載の方法。
【請求項９】
前記アップリンク電力制御設定の前記調整の前記識別をトリガするための前記情報の少なくともサブセットを送信することが、
前記アップリンク電力制御調整要求を送信することを備える、請求項８に記載の方法。
【請求項１０】
前記アップリンク電力制御設定の前記調整が、
スケジューリング要求のアップリンク送信のための送信電力レベルを上げるための命令を備える、請求項１に記載の方法。
【請求項１１】
前記アップリンク電力制御設定の前記調整が、
スケジューリング要求のアップリンク送信のための送信電力レベルを下げるための命令を備える、請求項１に記載の方法。
【請求項１２】
前記スケジューリング要求性能に関する情報をコンパイルすることが、
失敗したスケジューリング要求の数がしきい値を満たすかどうかを決定することと、
失敗したスケジューリング要求の前記数が前記しきい値を満たすと決定すると、完全なスケジューリング要求失敗の指示を送信することと
を備える、請求項１に記載の方法。
【請求項１３】
前記スケジューリング要求性能に関する情報をコンパイルすることが、
成功したスケジューリング要求に先行する失敗したスケジューリング要求の数をログすることを備える、請求項１に記載の方法。
【請求項１４】
前記スケジューリング要求性能に関する情報をコンパイルすることが、
前記第１のセットの１つまたは複数のＵＥの各々の複数の成功したスケジューリング要求のうちの異なる成功したスケジューリング要求に先行する、前記第１のセットの１つまたは複数のＵＥの各々の失敗したスケジューリング要求の数に関する統計をコンパイルすることを備える、請求項１に記載の方法。
【請求項１５】
前記スケジューリング要求性能に関する情報をコンパイルすることが、
少なくとも１つの失敗したスケジューリング要求を少なくとも１つの無線周波（ＲＦ）測定値と相関させることを備える、請求項１に記載の方法。
【請求項１６】
前記スケジューリング要求性能に関する情報をコンパイルすることが、
少なくとも１つの失敗したスケジューリング要求を物理アップリンク制御チャネル（ＰＵＣＣＨ）フォーマットと相関させることを備える、請求項１に記載の方法。
【請求項１７】
前記スケジューリング要求性能に関する情報をコンパイルすることが、
前記コンパイルされた情報の各項目に関連付けられた信頼性レベルに基づいて、前記コンパイルされた情報の項目をランク付けすることと、
前記アップリンク電力制御設定の前記調整を生じさせるために送信のためのより高くランク付けされた項目のサブセットを選択することと
を備える、請求項１に記載の方法。
【請求項１８】
前記情報の前記少なくともサブセットを少なくとも１つの情報要素において送信することをさらに備える、請求項１に記載の方法。
【請求項１９】
前記情報の前記少なくともサブセットをアプリケーションデータとして送信することをさらに備える、請求項１に記載の方法。
【請求項２０】
前記情報の前記少なくともサブセットを媒体アクセス制御（ＭＡＣ）ヘッダフィールドにおいて送信することをさらに備える、請求項１に記載の方法。
【請求項２１】
前記第２のセットの１つまたは複数のＵＥが、前記第１のセットの１つまたは複数のＵＥを含む、請求項１に記載の方法。
【請求項２２】
前記第１のセットの１つまたは複数のＵＥが第１のセルにあり、前記第２のセットの１つまたは複数のＵＥが第２のセルにあり、前記第２のセルが前記第１のセルとは異なる、請求項１に記載の方法。
【請求項２３】
前記アップリンク電力制御設定が、物理アップリンク制御チャネル（ＰＵＣＣＨ）電力制御設定である、請求項１に記載の方法。
【請求項２４】
ワイヤレス通信を管理するためのユーザ機器（ＵＥ）であって、
プロセッサと、
前記プロセッサと電子通信している、命令を具現化するメモリとを備え、前記命令が、
第１のセットの１つまたは複数のユーザ機器（ＵＥ）のスケジューリング要求性能に関する情報をコンパイルし、
第２のセットの１つまたは複数のＵＥのアップリンク電力制御設定の調整の識別をトリガするための前記情報の少なくともサブセットを送信する
ように前記プロセッサによって実行可能である、ユーザ機器（ＵＥ）。
【請求項２５】
前記命令が、
調整された公称電力値を受信し、
前記調整された公称電力値に従って前記アップリンク電力制御設定を調整する
ように前記プロセッサによってさらに実行可能である、請求項２４に記載のＵＥ。
【請求項２６】
前記命令が、
電力修正差分を受信し、
前記電力修正差分に従って前記アップリンク電力制御設定を調整する
ように前記プロセッサによってさらに実行可能である、請求項２４に記載のＵＥ。
【請求項２７】
前記命令が、
電力修正命令を受信し、
前記電力修正命令に従って前記アップリンク電力制御設定を維持する
ように前記プロセッサによってさらに実行可能である、請求項２４に記載のＵＥ。
【請求項２８】
前記スケジューリング要求性能に関する情報をコンパイルするための前記命令が、
前記スケジューリング要求性能の品質レベルを決定するように前記プロセッサによってさらに実行可能である、請求項２４に記載のＵＥ。
【請求項２９】
前記命令が、
前記スケジューリング要求性能の前記品質レベルを単一ビットの情報で表すように前記プロセッサによってさらに実行可能である、請求項２８に記載のＵＥ。
【請求項３０】
前記アップリンク電力制御設定の前記調整の前記識別をトリガするための前記情報の少なくともサブセットを送信するための前記命令が、
前記スケジューリング要求性能の前記品質レベルを表す前記単一ビットの情報を送信するように前記プロセッサによってさらに実行可能である、請求項２９に記載のＵＥ。
【請求項３１】
前記スケジューリング要求性能に関する情報をコンパイルするための前記命令が、
前記スケジューリング要求性能の前記決定された品質レベルに少なくとも部分的に基づくアップリンク電力制御設定調整要求を生成するように前記プロセッサによってさらに実行可能である、請求項２８に記載のＵＥ。
【請求項３２】
前記アップリンク電力制御設定の前記調整の前記識別をトリガするための前記情報の少なくともサブセットを送信するための前記命令が、
前記アップリンク電力制御調整要求を送信するように前記プロセッサによってさらに実行可能である、請求項３１に記載のＵＥ。
【請求項３３】
前記アップリンク電力制御設定の前記調整が、
スケジューリング要求のアップリンク送信のための送信電力レベルを上げるための命令を備える、請求項２４に記載のＵＥ。
【請求項３４】
前記アップリンク電力制御設定の前記調整が、
スケジューリング要求のアップリンク送信のための送信電力レベルを下げるための命令を備える、請求項２４に記載のＵＥ。
【請求項３５】
前記スケジューリング要求性能に関する情報をコンパイルするための前記命令が、
失敗したスケジューリング要求の数がしきい値を満たすかどうかを決定し、
失敗したスケジューリング要求の前記数が前記しきい値を満たすと決定すると、完全なスケジューリング要求失敗の指示を送信する
ように前記プロセッサによってさらに実行可能である、請求項２４に記載のＵＥ。
【請求項３６】
前記スケジューリング要求性能に関する情報をコンパイルするための前記命令が、
成功したスケジューリング要求に先行する失敗したスケジューリング要求の数をログするように前記プロセッサによってさらに実行可能である、請求項２４に記載のＵＥ。
【請求項３７】
前記スケジューリング要求性能に関する情報をコンパイルするための前記命令が、
前記第１のセットの１つまたは複数のＵＥの各々の複数の成功したスケジューリング要求のうちの異なる成功したスケジューリング要求に先行する、前記第１のセットの１つまたは複数のＵＥの各々の失敗したスケジューリング要求の数に関する統計をコンパイルするように前記プロセッサによってさらに実行可能である、請求項２４に記載のＵＥ。
【請求項３８】
前記スケジューリング要求性能に関する情報をコンパイルするための前記命令が、
少なくとも１つの失敗したスケジューリング要求を少なくとも１つの無線周波（ＲＦ）測定値と相関させるように前記プロセッサによってさらに実行可能である、請求項２４に記載のＵＥ。
【請求項３９】
前記スケジューリング要求性能に関する情報をコンパイルするための前記命令が、
少なくとも１つの失敗したスケジューリング要求を物理アップリンク制御チャネル（ＰＵＣＣＨ）フォーマットと相関させるように前記プロセッサによってさらに実行可能である、請求項２４に記載のＵＥ。
【請求項４０】
前記スケジューリング要求性能に関する情報をコンパイルするための前記命令が、
前記コンパイルされた情報の各項目に関連付けられた信頼性レベルに基づいて、前記コンパイルされた情報の項目をランク付けし、
前記アップリンク電力制御設定の前記調整を生じさせるために送信のためのより高くランク付けされた項目のサブセットを選択する
ように前記プロセッサによってさらに実行可能である、請求項２４に記載のＵＥ。
【請求項４１】
前記命令が、
前記情報の前記少なくともサブセットを少なくとも１つの情報要素において送信するように前記プロセッサによってさらに実行可能である、請求項２４に記載のＵＥ。
【請求項４２】
前記命令が、
前記情報の前記少なくともサブセットをアプリケーションデータとして送信するように前記プロセッサによってさらに実行可能である、請求項２４に記載のＵＥ
【請求項４３】
前記命令が、
前記情報の前記少なくともサブセットを媒体アクセス制御（ＭＡＣ）ヘッダフィールドにおいて送信するように前記プロセッサによってさらに実行可能である、請求項２４に記載のＵＥ。
【請求項４４】
前記第２のセットの１つまたは複数のＵＥが、前記第１のセットの１つまたは複数のＵＥを含む、請求項２４に記載のＵＥ。
【請求項４５】
前記第１のセットの１つまたは複数のＵＥが第１のセルにあり、前記第２のセットの１つまたは複数のＵＥが第２のセルにあり、前記第２のセルが前記第１のセルとは異なる、請求項２４に記載のＵＥ。
【請求項４６】
前記アップリンク電力制御設定が、物理アップリンク制御チャネル（ＰＵＣＣＨ）電力制御設定である、請求項２４に記載のＵＥ。
【請求項４７】
ワイヤレス通信を管理するためのユーザ機器（ＵＥ）であって、
第１のセットの１つまたは複数のユーザ機器（ＵＥ）のスケジューリング要求性能に関する情報をコンパイルするための手段と、
第２のセットの１つまたは複数のＵＥのアップリンク電力制御設定の調整の識別をトリガするための前記情報の少なくともサブセットを送信するための手段と
を備えるユーザ機器（ＵＥ）。
【請求項４８】
調整された公称電力値を受信するための手段と、
前記調整された公称電力値に従って前記アップリンク電力制御設定を調整するための手段と
をさらに備える、請求項４７に記載のＵＥ。
【請求項４９】
電力修正差分を受信するための手段と、
前記電力修正差分に従って前記アップリンク電力制御設定を調整するための手段と
をさらに備える、請求項４７に記載のＵＥ。
【請求項５０】
電力修正命令を受信するための手段と、
前記電力修正命令に従って前記アップリンク電力制御設定を維持するための手段と
をさらに備える、請求項４７に記載のＵＥ。
【請求項５１】
前記スケジューリング要求性能に関する情報をコンパイルするための前記手段が、
失敗したスケジューリング要求の数がしきい値を満たすかどうかを決定するための手段と、
失敗したスケジューリング要求の前記数が前記しきい値を満たすと決定すると、完全なスケジューリング要求失敗の指示を送信するための手段と
を備える、請求項４７に記載のＵＥ。
【請求項５２】
前記第２のセットの１つまたは複数のＵＥが、前記第１のセットの１つまたは複数のＵＥを含む、請求項４７に記載のＵＥ。
【請求項５３】
前記第１のセットの１つまたは複数のＵＥが第１のセルにあり、前記第２のセットの１つまたは複数のＵＥが第２のセルにあり、前記第２のセルが前記第１のセルとは異なる、請求項４７に記載のＵＥ。
【請求項５４】
前記アップリンク電力制御設定が、物理アップリンク制御チャネル（ＰＵＣＣＨ）電力制御設定である、請求項４７に記載のＵＥ。
【請求項５５】
ワイヤレス通信を管理するためのコンピュータプログラム製品であって、前記コンピュータプログラム製品が、
第１のセットの１つまたは複数のユーザ機器（ＵＥ）のスケジューリング要求性能に関する情報をコンパイルし、
第２のセットの１つまたは複数のＵＥのアップリンク電力制御設定の調整の識別をトリガするための前記情報の少なくともサブセットを送信する
ようにプロセッサによって実行可能な命令を記憶する非一時的コンピュータ可読媒体を備える、コンピュータプログラム製品。
【請求項５６】
前記命令が、
調整された公称電力値を受信し、
前記調整された公称電力値に従って前記アップリンク電力制御設定を調整する
ように前記プロセッサによってさらに実行可能である、請求項５５に記載のコンピュータプログラム製品。
【請求項５７】
前記命令が、
電力修正差分を受信し、
前記電力修正差分に従って前記アップリンク電力制御設定を調整する
ように前記プロセッサによってさらに実行可能である、請求項５５に記載のコンピュータプログラム製品。
【請求項５８】
前記命令が、
電力修正命令を受信し、
前記電力修正命令に従って前記アップリンク電力制御設定を維持する
ように前記プロセッサによってさらに実行可能である、請求項５５に記載のコンピュータプログラム製品。
【請求項５９】
ワイヤレス通信を管理するための方法であって、
第１の複数のユーザ機器（ＵＥ）から、スケジューリング要求を送信するためのアップリンク電力制御設定の調整の識別をトリガするための情報を受信することと、
前記第１の複数のＵＥから受信された前記情報を解析することと、
第２の複数のＵＥのうちの少なくとも１つに対する前記アップリンク電力制御設定のための電力調整を識別することと、
前記識別された電力調整を第２の複数のＵＥのうちの前記少なくとも１つに送信することと
を備える方法。
【請求項６０】
前記電力調整を識別することが、
前記第２の複数のＵＥのうちの前記少なくとも１つに対する調整された公称電力値を識別することを備える、請求項５９に記載の方法。
【請求項６１】
前記電力調整を識別することが、
前記第２の複数のＵＥのうちの前記少なくとも１つに対する電力修正差分を識別することを備える、請求項５９に記載の方法。
【請求項６２】
前記識別された電力調整が、前記第２の複数のＵＥのうちの前記少なくとも１つがスケジューリング要求のアップリンク送信のための送信電力を上げるための命令を備える、請求項５９に記載の方法。
【請求項６３】
前記識別された電力調整が、前記第２の複数のＵＥのうちの前記少なくとも１つがアップリンク送信のための送信電力を下げるための命令を備える、請求項５９に記載の方法。
【請求項６４】
隣接基地局によってサービスされている１つまたは複数のＵＥに前記隣接基地局へのアップリンク送信のための送信電力を低減するよう命令することを前記隣接基地局に要求するために、要求を隣接セルにサービスする前記隣接基地局に送信することをさらに備える、請求項５９に記載の方法。
【請求項６５】
前記受信された情報を前記第１の複数のＵＥのうちの少なくとも１つから抽出するように媒体アクセス制御（ＭＡＣ）ヘッダフィールドを処理することをさらに備える、請求項５９に記載の方法。
【請求項６６】
スケジューリング要求を送信するためのアップリンク電力制御設定の調整の識別をトリガするための前記情報が、
スケジューリング要求性能に関する情報を備える、請求項５９に記載の方法。
【請求項６７】
前記第１の複数のＵＥから受信された前記情報を解析することが、
完全なスケジューリング要求失敗に関する情報を前記解析から分離することを備える、請求項６６に記載の方法。
【請求項６８】
前記第１の複数のＵＥから受信された前記情報を解析することが、
物理アップリンク制御チャネル（ＰＵＣＣＨ）フォーマットに少なくとも部分的に基づいて、スケジューリング要求性能に関する前記情報を分類することを備える、請求項６６に記載の方法。
【請求項６９】
前記第２の複数のＵＥが、前記第１の複数のＵＥを含む、請求項５９に記載の方法。
【請求項７０】
前記電力調整が、前記第２の複数のＵＥの各々について識別され、前記第２の複数のＵＥの各々に送信される、請求項５９に記載の方法。
【請求項７１】
ワイヤレス通信を管理するための基地局であって、
プロセッサと、
前記プロセッサと電子通信している、命令を具現化するメモリとを備え、前記命令が、
第１の複数のユーザ機器（ＵＥ）から、スケジューリング要求を送信するためのアップリンク電力制御設定の調整の識別をトリガするための情報を受信し、
前記第１の複数のＵＥから受信された前記情報を解析し、
第２の複数のＵＥのうちの少なくとも１つに対する前記アップリンク電力制御設定のための電力調整を識別し、
前記識別された電力調整を前記第２の複数のＵＥのうちの前記少なくとも１つに送信する
ように前記プロセッサによって実行可能である、基地局。
【請求項７２】
前記電力調整を識別するための前記命令が、
前記第２の複数のＵＥのうちの前記少なくとも１つに対する調整された公称電力値を識別するように前記プロセッサによってさらに実行可能である、請求項７１に記載の基地局。
【請求項７３】
前記電力調整を識別するための前記命令が、
前記第２の複数のＵＥのうちの前記少なくとも１つに対する電力修正差分を識別するように前記プロセッサによってさらに実行可能である、請求項７１に記載の基地局。
【請求項７４】
前記命令が、
隣接基地局によってサービスされている１つまたは複数のＵＥに前記隣接基地局へのアップリンク送信のための送信電力を低減するよう命令することを前記隣接基地局に要求するために、要求を隣接セルにサービスする前記隣接基地局に送信するように前記プロセッサによってさらに実行可能である、請求項７１に記載の基地局。
【請求項７５】
前記命令が、
前記受信された情報を前記第１の複数のＵＥのうちの少なくとも１つから抽出するように媒体アクセス制御（ＭＡＣ）ヘッダフィールドを処理するように前記プロセッサによってさらに実行可能である、請求項７１に記載の基地局。
【請求項７６】
スケジューリング要求を送信するためのアップリンク電力制御設定の調整の識別をトリガするための前記情報が、
スケジューリング要求性能に関する情報を備える、請求項７１に記載の基地局。
【請求項７７】
前記第１の複数のＵＥから受信された前記情報を解析するための前記命令が、
完全なスケジューリング要求失敗に関する情報を前記解析から分離するように前記プロセッサによって実行可能である、請求項７６に記載の基地局。
【請求項７８】
前記第２の複数のＵＥが、前記第１の複数のＵＥを含む、請求項７１に記載の基地局。
【請求項７９】
前記電力調整が、前記第２の複数のＵＥの各々について識別され、前記第２の複数のＵＥの各々に送信される、請求項７１に記載の基地局。
【請求項８０】
ワイヤレス通信を管理するための基地局であって、
第１の複数のユーザ機器（ＵＥ）から、スケジューリング要求を送信するためのアップリンク電力制御設定の調整の識別をトリガするための情報を受信するための手段と、
前記第１の複数のＵＥから受信された前記情報を解析するための手段と、
第２の複数のＵＥのうちの少なくとも１つに対する前記アップリンク電力制御設定のための電力調整を識別するための手段と、
前記識別された電力調整を前記第２の複数のＵＥのうちの前記少なくとも１つに送信するための手段と
を備える基地局。
【請求項８１】
前記電力調整を識別するための前記手段が、
前記第２の複数のＵＥのうちの前記少なくとも１つに対する調整された公称電力値を識別するための手段を備える、請求項８０に記載の基地局。
【請求項８２】
前記電力調整を識別するための前記手段が、
前記第２の複数のＵＥのうちの前記少なくとも１つに対する電力修正差分を識別するための手段を備える、請求項８０に記載の基地局。
【請求項８３】
隣接基地局によってサービスされている１つまたは複数のＵＥに前記隣接基地局へのアップリンク送信のための送信電力を低減するよう命令することを前記隣接基地局に要求するために、要求を隣接セルにサービスする前記隣接基地局に送信するための手段をさらに備える、請求項８０に記載の基地局。
【請求項８４】
前記受信された情報を前記第１の複数のＵＥのうちの少なくとも１つから抽出するように媒体アクセス制御（ＭＡＣ）ヘッダフィールドを処理するための手段をさらに備える、請求項８０に記載の基地局。
【請求項８５】
ワイヤレス通信を管理するためのコンピュータプログラム製品であって、前記コンピュータプログラム製品が、
第１の複数のユーザ機器（ＵＥ）から、スケジューリング要求を送信するためのアップリンク電力制御設定の調整の識別をトリガするための情報を受信し、
前記第１の複数のＵＥから受信された前記情報を解析し、
第２の複数のＵＥのうちの少なくとも１つに対する前記アップリンク電力制御設定のための電力調整を識別し、
前記識別された電力調整を第２の複数のＵＥのうちの前記少なくとも１つに送信する
ようにプロセッサによって実行可能である命令を記憶する非一時的コンピュータ可読媒体を備える、コンピュータプログラム製品。
【発明の詳細な説明】
【技術分野】
【０００１】
相互参照
[0001]本特許出願は、２０１３年１月１７日に出願された「Ｍａｎａｇｅｍｅｎｔ  ｏｆ  Ｗｉｒｅｌｅｓｓ  Ｃｏｍｍｕｎｉｃａｔｉｏｎｓ  Ｕｓｉｎｇ  Ｉｎｆｏｒｍａｔｉｏｎ  Ｒｅｌａｔｉｎｇ  ｔｏ  Ｓｃｈｅｄｕｌｉｎｇ  Ｒｅｑｕｅｓｔ  Ｐｅｒｆｏｒｍａｎｃｅ」という表題のＳｈｕｋａｉｒらによる米国仮特許出願第６１／７５３，８６２号の利益を主張する、２０１３年７月２６に出願された「Ｍａｎａｇｅｍｅｎｔ  ｏｆ  Ｗｉｒｅｌｅｓｓ  Ｃｏｍｍｕｎｉｃａｔｉｏｎｓ  Ｕｓｉｎｇ  Ｉｎｆｏｒｍａｔｉｏｎ  Ｒｅｌａｔｉｎｇ  ｔｏ  Ｓｃｈｅｄｕｌｉｎｇ  Ｒｅｑｕｅｓｔ  Ｐｅｒｆｏｒｍａｎｃｅ」という表題のＳｈｕｋａｉｒらによる同時係属中の米国特許出願第１３／９５１，５２４号の優先権の利益を主張する。本出願はその譲受人に譲受される。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのユーザ機器（ＵＥ）のための通信をサポートすることができるいくつかの基地局、ノードＢ、またはｅノードＢ（ｅＮＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。ＵＥは、スケジューリング要求をｅＮＢに送ることによって、アップリンク通信を開始し得る。スケジューリング要求を受信したことに応答して、ｅＮＢはアップリンク通信のためのリソースを割り振り得る。リソースの割振りは、アップリンクグラントと呼ばれることがある。
【発明の概要】
【０００４】
[0004]説明される特徴は、一般に、ワイヤレス通信を管理するための１つまたは複数の改善された方法、システム、および／またはデバイスに関する。ワイヤレス通信は、たとえば、第１のセットの１つまたは複数のユーザ機器（ＵＥ）のスケジューリング要求性能に関する情報をコンパイルし、第２のセットの１つまたは複数のＵＥのアップリンク電力制御設定の調整の識別をトリガするための情報の少なくともサブセットを送信することによって、ＵＥ側で管理され得る。ワイヤレス通信は、たとえば、スケジューリング要求を送信するためのアップリンク電力制御設定の調整の識別をトリガするための情報を受信することによって、ｅＮＢ側で管理され得る。情報は第１の複数のＵＥの各々から受信され得る。情報は解析され得、第２の複数のＵＥのうちの少なくとも１つに対するアップリンク電力制御設定のための電力調整が識別され得る。次いで、識別された電力調整は少なくとも１つのＵＥに送信され得る。
【０００５】
[0005]ワイヤレス通信を管理するための方法について説明される。一構成では、第１のセットの１つまたは複数のＵＥのスケジューリング要求性能に関する情報がコンパイルされ得る。情報の少なくともサブセットは、第２のセットの１つまたは複数のＵＥのアップリンク電力制御設定の調整の識別をトリガするために送信され得る。
【０００６】
[0006]いくつかの実施形態では、調整された公称電力値が受信され得、アップリンク電力制御設定が調整された公称電力値に従って調整され得る。いくつかの実施形態では、電力修正差分が受信され得、アップリンク電力制御設定が電力修正差分に従って調整され得る。いくつかの実施形態では、電力修正命令が受信され得、アップリンク電力制御設定が電力修正命令に従って維持され得る。
【０００７】
[0007]場合によっては、スケジューリング要求性能に関する情報をコンパイルすることは、スケジューリング要求性能の品質レベルを決定することを含み得る。スケジューリング要求性能の品質レベルは、単一ビットの情報で表され得、この単一ビットの情報は、アップリンク電力制御設定の調整の識別をトリガするための情報のサブセットの一部として送信され得る。
【０００８】
[0008]いくつかの構成では、スケジューリング要求に関する情報をコンパイルすることは、アップリンク電力制御設定調整要求を生成することを含み得る。要求は、スケジューリング要求性能の決定された品質レベルに少なくとも部分的に基づき得る。場合によっては、アップリンク電力制御調整要求は、アップリンク電力制御設定の調整の識別をトリガするための情報のサブセットの一部として送信され得る。
【０００９】
[0009]いくつかの実施形態では、アップリンク電力制御設定の調整は、スケジューリング要求のアップリンク送信のための送信電力レベルを上げるための命令、またはスケジューリング要求のアップリンク送信のための送信電力レベルを下げるための命令を含み得る。
【００１０】
[0010]スケジューリング要求性能に関する情報をコンパイルすることは、失敗したスケジューリング要求の数がしきい値を満たすかどうかを決定することと、失敗したスケジューリング要求の数がしきい値を満たすと決定すると、完全なスケジューリング要求失敗の指示を送信することとを含み得る。スケジューリング要求性能に関する情報をコンパイルすることは、成功したスケジューリング要求に先行する失敗したスケジューリング要求の数をログすることも含み得る。スケジューリング要求性能に関する情報をコンパイルすることは、第１のセットの１つまたは複数のＵＥの各々の複数の成功したスケジューリング要求のうちの異なる成功したスケジューリング要求に先行する、第１のセットの１つまたは複数のＵＥの各々の失敗したスケジューリング要求の数に関する統計をコンパイルすることも含み得る。またさらに、スケジューリング要求性能に関する情報をコンパイルすることは、少なくとも１つの失敗したスケジューリング要求を少なくとも１つの無線周波（ＲＦ）測定値とまたは物理アップリンク制御チャネル（ＰＵＣＣＨ）フォーマットと相関させることを含み得る。スケジューリング要求性能に関する情報をコンパイルすることは、コンパイルされた情報の各項目に関連付けられた信頼性レベルに基づいて、コンパイルされた情報の項目をランク付けすることと、アップリンク電力制御設定の調整を生じさせるために送信のためのより高くランク付けされた項目のサブセットを選択することとも含み得る。
【００１１】
[0011]いくつかの構成では、アップリンク電力制御設定の調整の識別をトリガするための情報の少なくともサブセットは、少なくとも１つの情報要素において、またはアプリケーションデータとして、または媒体アクセス制御（ＭＡＣ）ヘッダフィールドにおいて送信され得る。
【００１２】
[0012]いくつかの実施形態では、第２のセットの１つまたは複数のＵＥは、第１のセットの１つまたは複数のＵＥを含み得る。他の実施形態では、第１のセットの１つまたは複数のＵＥは第１のセルにあり得、第２のセットの１つまたは複数のＵＥは第２のセルにあり得、第２のセルは第１のセルとは異なる。
【００１３】
[0013]いくつかの構成では、アップリンク電力制御設定は、物理アップリンク制御チャネル（ＰＵＣＣＨ）電力制御設定であり得る。
【００１４】
[0014]ワイヤレス通信を管理するためのＵＥについても説明される。ＵＥは、プロセッサと、プロセッサと電子通信しているメモリとを含み得る。命令はメモリに記憶され得る。命令は、第１のセットの１つまたは複数のＵＥのスケジューリング要求性能に関する情報をコンパイルし、第２のセットの１つまたは複数のＵＥのアップリンク電力制御設定の調整の識別をトリガするための情報の少なくともサブセットを送信するように、プロセッサによって実行可能であり得る。
【００１５】
[0015]いくつかの実施形態では、命令は、調整された公称電力値を受信し、調整された公称電力値に従ってアップリンク電力制御設定を調整するように、プロセッサによってさらに実行可能であり得る。いくつかの実施形態では、命令は、電力修正差分を受信し、電力修正差分に従ってアップリンク電力制御設定を調整するように、プロセッサによってさらに実行可能であり得る。いくつかの実施形態では、命令は、電力修正命令を受信し、電力修正命令に従ってアップリンク電力制御設定を維持するように、プロセッサによってさらに実行可能であり得る。
【００１６】
[0016]場合によっては、スケジューリング要求性能に関する情報をコンパイルするための命令は、スケジューリング要求性能の品質レベルを決定するように、プロセッサによってさらに実行可能であり得る。スケジューリング要求性能の品質レベルは、単一ビットの情報で表され得る。単一ビットの情報は、場合によっては、アップリンク電力制御設定の調整の識別をトリガするための情報のサブセットの一部として送信され得る。
【００１７】
[0017]いくつかの構成では、スケジューリング要求性能に関する情報をコンパイルするための命令は、含み得、アップリンク電力制御設定調整要求を生成するように、プロセッサによってさらに実行可能であり得る。要求は、スケジューリング要求性能の決定された品質レベルに少なくとも部分的に基づき得る。場合によっては、アップリンク電力制御調整要求は、アップリンク電力制御設定の調整の識別をトリガするための情報のサブセットの一部として送信され得る。
【００１８】
[0018]いくつかの実施形態では、アップリンク電力制御設定の調整は、スケジューリング要求のアップリンク送信のための送信電力レベルを上げるための命令、またはスケジューリング要求のアップリンク送信のための送信電力レベルを下げるための命令を含み得る。
【００１９】
[0019]スケジューリング要求性能に関する情報をコンパイルするための命令は、失敗したスケジューリング要求の数がしきい値を満たすかどうかを決定し、失敗したスケジューリング要求の数がしきい値を満たすと決定すると、完全なスケジューリング要求失敗の指示を送信するように、プロセッサによってさらに実行可能であり得る。スケジューリング要求性能に関する情報をコンパイルするための命令はまた、成功したスケジューリング要求に先行する失敗したスケジューリング要求の数をログするように、プロセッサによってさらに実行可能であり得る。スケジューリング要求性能に関する情報をコンパイルするための命令はまた、第１のセットの１つまたは複数のＵＥの各々の複数の成功したスケジューリング要求のうちの異なる成功したスケジューリング要求に先行する、第１のセットの１つまたは複数のＵＥの各々の失敗したスケジューリング要求の数に関する統計をコンパイルするように、プロセッサによってさらに実行可能であり得る。またさらに、スケジューリング要求性能に関する情報をコンパイルするための命令は、少なくとも１つの失敗したスケジューリング要求を少なくとも１つのＲＦ測定値とまたはＰＵＣＣＨフォーマットと相関させるように、プロセッサによってさらに実行可能であり得る。スケジューリング要求性能に関する情報をコンパイルするための命令はまた、コンパイルされた情報の各項目に関連付けられた信頼性レベルに基づいて、コンパイルされた情報の項目をランク付けし、アップリンク電力制御設定の調整を生じさせるために送信のためのより高くランク付けされた項目のサブセットを選択するように、プロセッサによってさらに実行可能であり得る。
【００２０】
[0020]いくつかの構成では、アップリンク電力制御設定の調整の識別をトリガするための情報の少なくともサブセットを送信するための命令は、情報を少なくとも１つの情報要素において、またはアプリケーションデータとして、またはＭＡＣヘッダフィールドにおいて送信するように、プロセッサによってさらに実行可能であり得る。
【００２１】
[0021]いくつかの実施形態では、第２のセットの１つまたは複数のＵＥは、第１のセットの１つまたは複数のＵＥを含み得る。他の実施形態では、第１のセットの１つまたは複数のＵＥは第１のセルにあり得、第２のセットの１つまたは複数のＵＥは第２のセルにあり得、第２のセルは第１のセルとは異なる。
【００２２】
[0022]いくつかの構成では、アップリンク電力制御設定は、ＰＵＣＣＨ電力制御設定であり得る。
【００２３】
[0023]ワイヤレス通信を管理するためのＵＥについても説明される。一構成では、ＵＥは、第１のセットの１つまたは複数のＵＥのスケジューリング要求性能に関する情報をコンパイルするための手段と、第２のセットの１つまたは複数のＵＥのアップリンク電力制御設定の調整の識別をトリガするための情報の少なくともサブセットを送信するための手段とを含む。
【００２４】
[0024]いくつかの実施形態では、ＵＥは、調整された公称電力値を受信するための手段と、調整された公称電力値に従ってアップリンク電力制御設定を調整するための手段とをさらに含み得る。いくつかの実施形態では、ＵＥは、電力修正差分を受信するための手段と、電力修正差分に従ってアップリンク電力制御設定を調整するための手段とをさらに含み得る。いくつかの実施形態では、ＵＥは、電力修正命令を受信するための手段と、電力修正命令に従ってアップリンク電力制御設定を維持するための手段とをさらに含み得る。
【００２５】
[0025]スケジューリング要求性能に関する情報をコンパイルするための手段は、失敗したスケジューリング要求の数がしきい値を満たすかどうかを決定するための手段と、失敗したスケジューリング要求の数がしきい値を満たすと決定すると、完全なスケジューリング要求失敗の指示を送信するための手段とを含み得る。
【００２６】
[0026]いくつかの実施形態では、第２のセットの１つまたは複数のＵＥは、第１のセットの１つまたは複数のＵＥを含み得る。他の実施形態では、第１のセットの１つまたは複数のＵＥは第１のセルにあり得、第２のセットの１つまたは複数のＵＥは第２のセルにあり得、第２のセルは第１のセルとは異なる。
【００２７】
[0027]いくつかの構成では、アップリンク電力制御設定は、ＰＵＣＣＨ電力制御設定であり得る。
【００２８】
[0028]ワイヤレス通信を管理するためのコンピュータプログラム製品についても説明される。コンピュータプログラム製品は、第１のセットの１つまたは複数のＵＥのスケジューリング要求性能に関する情報をコンパイルし、第２のセットの１つまたは複数のＵＥのアップリンク電力制御設定の調整の識別をトリガするための情報の少なくともサブセットを送信するように、プロセッサによって実行可能な命令を記憶する非一時的コンピュータ可読媒体を備え得る。
【００２９】
[0029]いくつかの実施形態では、命令は、調整された公称電力値を受信し、調整された公称電力値に従ってアップリンク電力制御設定を調整するように、プロセッサによってさらに実行可能であり得る。いくつかの実施形態では、命令は、電力修正差分を受信し、電力修正差分に従ってアップリンク電力制御設定を調整するように、プロセッサによってさらに実行可能であり得る。いくつかの実施形態では、命令は、電力修正命令を受信し、電力修正命令に従ってアップリンク電力制御設定を維持するように、プロセッサによってさらに実行可能であり得る。
【００３０】
[0030]ワイヤレス通信を管理するための別の方法について説明される。一構成では、スケジューリング要求を送信するためのアップリンク電力制御設定の調整の識別をトリガするための情報は、第１の複数のＵＥの各々から受信される。情報が解析され、第２の複数のＵＥのうちの少なくとも１つに対するアップリンク電力制御設定のための電力調整が識別される。次いで、識別された電力調整は、第２の複数のＵＥのうちの少なくとも１つに送信される。
【００３１】
[0031]いくつかの実施形態では、電力調整を識別することは、第２の複数のＵＥのうちの少なくとも１つに対する調整された公称電力値を識別すること、または第２の複数のＵＥのうちの少なくとも１つに対する電力修正差分を識別することを含み得る。
【００３２】
[0032]識別された電力調整は、場合によっては、第２の複数のＵＥのうちの少なくとも１つがスケジューリング要求のアップリンク送信のための送信電力を上げるための命令、または第２の複数のＵＥのうちの少なくとも１つがアップリンク送信のための送信電力を下げるための命令を含み得る。
【００３３】
[0033]いくつかの実施形態では、方法は、隣接基地局によってサービスされている１つまたは複数のＵＥに隣接基地局へのアップリンク送信のための送信電力を低減するよう命令することを隣接基地局に要求するために、要求を隣接セルにサービスする隣接基地局に送信することをさらに含み得る。
【００３４】
[0034]場合によっては、方法は、受信された情報を第１の複数のＵＥのうちの少なくとも１つから抽出するようにＭＡＣヘッダフィールドを処理することを含み得る。
【００３５】
[0035]いくつかの構成では、スケジューリング要求を送信するためのアップリンク電力制御設定の調整の識別をトリガするための情報は、スケジューリング要求性能に関する情報を含み得る。これらの構成では、第１の複数のＵＥから受信された情報を解析することは、完全なスケジューリング要求失敗に関する情報を解析から分離することを含み得る。第１の複数のＵＥから受信された情報を解析することはまた、ＰＵＣＣＨフォーマットに少なくとも部分的に基づいて、スケジューリング要求性能に関する情報を分類することを含み得る。
【００３６】
[0036]いくつかの実施形態では、第２の複数のＵＥは、第１の複数のＵＥを含み得る。
【００３７】
[0037]いくつかの実施形態では、電力調整が第２の複数のＵＥの各々について識別され、第２の複数のＵＥの各々に送信され得る。
【００３８】
[0038]ワイヤレス通信を管理するための基地局についても説明される。基地局は、プロセッサと、プロセッサと電子通信しているメモリとを含み得る。命令はメモリに記憶され得る。命令は、第１の複数のＵＥの各々から、スケジューリング要求を送信するためのアップリンク電力制御設定の調整の識別をトリガするための情報を受信するように、プロセッサによって実行可能であり得る。命令は、第１の複数のＵＥから受信された情報を解析し、第２の複数のＵＥのうちの少なくとも１つに対するアップリンク電力制御設定のための電力調整を識別し、識別された電力調整を第２の複数のＵＥのうちの少なくとも１つに送信するように、プロセッサによってさらに実行可能であり得る。
【００３９】
[0039]いくつかの実施形態では、電力調整を識別するための命令は、第２の複数のＵＥのうちの少なくとも１つに対する調整された公称電力値を識別するか、または第２の複数のＵＥのうちの少なくとも１つに対する電力修正差分を識別するように、プロセッサによってさらに実行可能であり得る。
【００４０】
[0040]いくつかの構成では、命令は、隣接基地局によってサービスされている１つまたは複数のＵＥに隣接基地局へのアップリンク送信のための送信電力を低減するよう命令することを隣接基地局に要求するために、要求を隣接セルにサービスする隣接基地局に送信するように、プロセッサによってさらに実行可能であり得る。
【００４１】
[0041]場合によっては、命令は、受信された情報を第１の複数のＵＥのうちの少なくとも１つから抽出するようにＭＡＣヘッダフィールドを処理するように、プロセッサによってさらに実行可能であり得る。
【００４２】
[0042]いくつかの構成では、スケジューリング要求を送信するためのアップリンク電力制御設定の調整の識別をトリガするための情報は、スケジューリング要求性能に関する情報を含み得る。これらの構成では、第１の複数のＵＥから受信された情報を解析するための命令は、完全なスケジューリング要求失敗に関する情報を解析から分離するように、プロセッサによって実行可能であり得る。
【００４３】
[0043]いくつかの実施形態では、第２の複数のＵＥは、第１の複数のＵＥを含み得る。
【００４４】
[0044]いくつかの実施形態では、電力調整が第２の複数のＵＥの各々について識別され、第２の複数のＵＥの各々に送信され得る。
【００４５】
[0045]ワイヤレス通信を管理するためのまた別の基地局について説明される。一構成では、基地局は、第１の複数のＵＥの各々から、スケジューリング要求を送信するためのアップリンク電力制御設定の調整の識別をトリガするための情報を受信するための手段を含む。基地局はまた、第１の複数のＵＥから受信された情報を解析するための手段と、第２の複数のＵＥのうちの少なくとも１つに対するアップリンク電力制御設定のための電力調整を識別するための手段と、識別された電力調整を第２の複数のＵＥのうちの少なくとも１つに送信するための手段とを含む。
【００４６】
[0046]いくつかの実施形態では、電力調整を識別するための手段は、第２の複数のＵＥのうちの少なくとも１つに対する調整された公称電力値を識別するための手段、または第２の複数のＵＥのうちの少なくとも１つに対する電力修正差分を識別するための手段を含み得る。
【００４７】
[0047]いくつかの実施形態では、基地局は、隣接基地局によってサービスされている１つまたは複数のＵＥに隣接基地局へのアップリンク送信のための送信電力を低減するよう命令することを隣接基地局に要求するために、要求を隣接セルにサービスする隣接基地局に送信するための手段をさらに含み得る。
【００４８】
[0048]いくつかの実施形態では、基地局はまた、受信された情報を第１の複数のＵＥのうちの少なくとも１つから抽出するようにＭＡＣヘッダフィールドを処理するための手段を含み得る。
【００４９】
[0049]ワイヤレス通信を管理するためのコンピュータプログラム製品についても説明される。コンピュータプログラム製品は、第１の複数のユーザ機器（ＵＥ）の各々から、スケジューリング要求を送信するためのアップリンク電力制御設定の調整の識別をトリガするための情報を受信するように、プロセッサによって実行可能な命令を記憶する非一時的コンピュータ可読媒体を備え得る。命令は、第１の複数のＵＥから受信された情報を解析し、第２の複数のＵＥのうちの少なくとも１つに対するアップリンク電力制御設定のための電力調整を識別し、識別された電力調整を第２の複数のＵＥのうちの少なくとも１つに送信するように、プロセッサによってさらに実行可能であり得る。
【００５０】
[0050]説明される方法および装置の適用性のさらなる範囲は、以下の発明を実施するための形態、特許請求の範囲、および図面から明らかになろう。当業者には発明を実施するための形態の趣旨および範囲内の様々な変更および修正が明らかになるので、発明を実施するための形態および特定の例は、例示として与えられるものにすぎない。
【００５１】
[0051]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００５２】
【図１】[0052]ワイヤレス通信システムのブロック図。
【図２】[0053]様々な実施形態による、ワイヤレス通信を管理するために使用され得るデバイスのブロック図。
【図３】[0054]様々な実施形態による、ワイヤレス通信を管理するために使用され得る別のデバイスのブロック図。
【図４】[0055]様々な実施形態による、ワイヤレス通信を管理するために使用され得るまた別のデバイスのブロック図。
【図５】[0056]様々な実施形態による、ワイヤレス通信を管理するために使用され得るさらに別のデバイスのブロック図。
【図６】[0057]様々な実施形態による、ワイヤレス通信を管理するために使用され得る別のデバイスのブロック図。
【図７】[0058]様々な実施形態による、ＵＥとｅＮＢとの間のメッセージフローの例を示す図。
【図８】様々な実施形態による、ＵＥとｅＮＢとの間のメッセージフローの例を示す図。
【図９】様々な実施形態による、ＵＥとｅＮＢとの間のメッセージフローの例を示す図。
【図１０】様々な実施形態による、ＵＥとｅＮＢとの間のメッセージフローの例を示す図。
【図１１】様々な実施形態による、ＵＥとｅＮＢとの間のメッセージフローの例を示す図。
【図１２】様々な実施形態による、ＵＥとｅＮＢとの間のメッセージフローの例を示す図。
【図１３】[0059]ｅＮＢとＵＥとを含むＭＩＭＯ通信システムのブロック図。
【図１４】[0060]様々な実施形態による、ワイヤレス通信を管理するための方法のフローチャート。
【図１５】[0061]図１４に示す方法のより詳細な実施形態のフローチャート。
【図１６】[0062]図１４に示す方法の別のより詳細な実施形態のフローチャート。
【図１７】[0063]様々な実施形態による、ワイヤレス通信を管理するための別の方法のフローチャート。
【発明を実施するための形態】
【００５３】
[0064]１つまたは複数のユーザ機器（ＵＥ）のスケジューリング要求（ＳＲ）性能に関する情報を使用したワイヤレス通信の管理について説明される。ＵＥがアップリンクを介した通信を開始したいと望むとき、ＵＥはＳＲをｅノードＢ（ｅＮＢ）に送り得る。ＳＲを受信すると、ｅＮＢは「アップリンクグラント」のためのリソースを割り振り得る。しかしながら、ｅＮＢのカバレージエリア内のＵＥのロケーション、ＵＥがＳＲを送る電力レベル、ネットワーク輻輳、および他の要因などの要因により、ＳＲがｅＮＢによって受信されない場合がある。ｅＮＢは失敗したＳＲ（たとえば、ＳＲがｅＮＢによって受信されない）についての知識を有さないので、ｅＮＢはさらなる失敗の可能性を軽減するための調整を行うことができない。したがって、悪いＳＲ性能を体験しているＵＥが悪いＳＲ性能を体験し続けるおよび／または同じセットの条件を体験しているＵＥも悪いＳＲ性能を体験する可能性がある。ＵＥが失敗する複数のＳＲを送ると、そのことが悪いユーザエクスペリエンスをもたらし得るだけでなく、ＵＥが連続して複数のＳＲを開始するので、バッテリー電力を消耗させ得る。したがって、ＵＥのＳＲがｅＮＢによって受信される可能性を高め得る方法、システム、およびデバイスが望ましい。
【００５４】
[0065]したがって、以下の説明は、例を与えるものであり、特許請求の範囲において記載される範囲、適用性、または構成を限定するものではない。本開示の趣旨および範囲から逸脱することなく、説明される要素の機能および構成において変更が行われ得る。様々な実施形態は、適宜に様々な手順または構成要素を省略、置換、または追加し得る。たとえば、説明される方法は、説明される順序とは異なる順序で実行され得、様々なステップが追加、省略、または組み合わせられ得る。また、いくつかの実施形態に関して説明される特徴は、他の実施形態において組み合わせられ得る。
【００５５】
[0066]最初に図１を参照すると、図はワイヤレス通信システム１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００５６】
[0067]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００５７】
[0068]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、一般に、それぞれ基地局１０５および通信デバイス１１５について説明するために使用され得る。システム１００は、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、一般に、比較的大きい地理的エリア（たとえば、半径数キロメートル）をカバーし、ネットワークプロバイダのサービスに加入しているＵＥによる無制限アクセスを可能にすることができる。ピコセルは、一般に、比較的小さい地理的エリアをカバーすることになり、ネットワークプロバイダのサービスに加入しているＵＥによる無制限アクセスを可能にすることができる。フェムトセルも、一般に、比較的小さい地理的エリア（たとえば、自宅）をカバーすることになり、無制限アクセスに加えて、フェムトセルとの関連を有するＵＥ（たとえば、限定加入者グループ（ＣＳＧ）中のＵＥ、自宅内のユーザのためのＵＥなど）による限定アクセスも提供し得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００５８】
[0069]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いに通信し得る。ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明される技法は、同期動作または非同期動作のいずれかのために使用され得る。
【００５９】
[0070]ＵＥ１１５はワイヤレスネットワーク１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００６０】
[0071]ネットワーク１００に示す送信リンク１２５は、ＵＥ１１５からｅＮＢ１０５へのアップリンク（ＵＬ）送信および／またはｅＮＢ１０５からＵＥ１１５へのダウンリンク（ＤＬ）送信を含み得る。ダウンリンク送信は順方向リンク送信と呼ばれることもあり、一方アップリンク送信は逆方向リンク送信と呼ばれることもある。
【００６１】
[0072]ＬＴＥ／ＬＴＥ−Ａネットワークでは、アップリンク送信を開始したいと望むＵＥ１１５は、スケジューリング要求（ＳＲ）をｅＮＢ１０５に送り得る。ＳＲは、リソースがアップリンク送信のために割り振られることが要求されているとｅＮＢ１０５に警告する。ＳＲは、たとえば、フォーマット１またはフォーマット１ａ／１ｂを使用して、物理アップリンク制御チャネル（ＰＵＣＣＨ）を介して送られ得る。場合によっては、ＵＥのＳＲはｅＮＢ１０５によって受信されないことがある。非受信は、不十分なＰＵＣＣＨ電力またはネットワーク輻輳など、様々な理由による場合がある。ＵＥ１１５がアップリンクリソースのグラント（「アップリンクグラント」）を受信するのに失敗すると、所定の時間の後に、ＵＥ１１５は別のＳＲを送り得る。このプロセスは、アップリンクグラントが受信されるまで、または（たとえば、アップリンクグラントを取得するために最大数の試行を行ったＵＥ１１５によって）失敗が示されるまで継続し得る。ｅＮＢ１０５は失敗したＳＲに気づいていないので（すなわち、ｅＮＢ１０５はＳＲを受信しないので）、ｅＮＢ１０５は、ＮＢ１０５がＳＲを受信する確率を改善するための調整を行うことができない。
【００６２】
[0073]次に図２を参照すると、ブロック図２００は、様々な実施形態による、ワイヤレス通信を管理し、ＵＥのＳＲがｅＮＢ１０５によって受信される可能性を高めるために使用され得るＵＥ１１５−ａの一例を示している。ＵＥ１１５−ａは、図１を参照しながら説明したＵＥ１１５の１つまたは複数の態様の一例であり得る。ＵＥ１１５−ａは、ＵＥ受信機モジュール２０５、ＵＥ  ＳＲ管理モジュール２１０、および／またはＵＥ送信機モジュール２１５を含み得る。これらの構成要素の各々は互いに通信し得る。
【００６３】
[0074]ＵＥ１１５−ａの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６４】
[0075]ＵＥ受信機モジュール２０５はセルラー受信機であり得、場合によっては、ＬＴＥ／ＬＴＥ−Ａ受信機であり得る。ＵＥ受信機モジュール２０５は、図１に示すワイヤレス通信システム１００などのワイヤレス通信システムを介して、様々なタイプのデータおよび／または制御信号を受信するために使用され得る。データおよび／または制御信号は、アップリンクグラントのためのリソースの利用可能性を示す信号を含み得る。
【００６５】
[0076]ＵＥ送信機モジュール２１５はまた、セルラー送信機であり得、場合によっては、ＬＴＥ／ＬＴＥ−Ａ送信機であり得る。ＵＥ送信機モジュール２１５は、ワイヤレス通信システム１００などのワイヤレス通信システムを介して、様々なタイプのデータおよび／または制御信号を送信するために使用され得る。データおよび／または制御信号はＳＲを含み得る。
【００６６】
[0077]ＵＥ  ＳＲ管理モジュール２１０は、アップリンクグラントがＵＥ受信機モジュール２０５を介して受信されるようになるまで、いくつかのＳＲをＵＥ送信機モジュール２１５を介して送らせ得る。各失敗したＳＲについて、ＵＥ  ＳＲ管理モジュール２１０は、失敗したＳＲのカウント、アップリンクグラントごとの失敗したＳＲのカウント、失敗したＳＲの原因となった可能性がある１つもしくは複数の条件、またはＳＲ性能に関する他の情報など、ＳＲ性能に関する情報をコンパイルし得る。次いで、ＵＥ  ＳＲ管理モジュール２１０は、アップリンク電力制御設定の調整の識別をトリガするために、ＵＥ送信機モジュール２１５を介して、コンパイルされた情報の少なくともサブセットをｅＮＢ１０５または他のデバイスに送信し得る。
【００６７】
[0078]いくつかの実施形態では、送信される情報は、ＭＡＣレイヤの媒体アクセス制御（ＭＡＣ）ヘッダフィールドにおいて送信され得る。他の実施形態では、送信される情報は、１つまたは複数の情報要素においてなど、上位レイヤにおいて、非アクセス層（ＮＡＳ）メッセージを介して、またはアプリケーションデータとして送信され得る。
【００６８】
[0079]アップリンク電力制御設定の調整は、調整された公称電力値または電力修正差分の形態を含む、様々な形態をとり得る。公称電力値はＳＲ送信または制御チャネルの開始電力に影響を及ぼし、一方電力修正差分はＳＲ送信または制御チャネルの電力の漸進的な変化を指定する。場合によっては、電力制御設定は、ＰＵＣＣＨ電力制御設定であり得る。ＵＥ１１５によって使用される電力は、次のように定義され得る。
【数１】
2016507989.tif 000003
【００６９】
ここで、
【数２】
2016507989.tif 000004
【００７０】
は公称またはベース電力であり、ＰＬは経路損失であり、
【数３】
2016507989.tif 000005
【００７１】
は電力修正差分であり、ｇ（ｉ）はＴＰＣまたは他の電力修正命令を使用して増加されるかまたは減少され得る変数である。変数ｇ（ｉ）とは対照的に、電力制御パラメータ
【数４】
2016507989.tif 000006
【００７２】
および
【数５】
2016507989.tif 000007
【００７３】
はより大きい調整を電力制御設定に与えることができる。
【００７４】
[0080]別の例では、電力制御設定は干渉制御に関連付けられ得る。たとえば、ｅＮＢ１０５は、ｅＮＢ１０５がサービスしている他のＵＥに、そのアップリンク送信電力を低減するよう命令し得る。結果として、これらの他のＵＥによって引き起こされる干渉は、ＵＥ１１５−ａのＳＲ性能が改善することを可能にし得る。さらに、ｅＮＢ１０５は隣接ｅＮＢと通信し、隣接ｅＮＢが、隣接セル中で隣接ｅＮＢがサービスしているＵＥに、そのアップリンク送信電力を低減するよう命令することを要求し得る。このことはまた、隣接セルによって引き起こされる干渉を低減し、サービングセル中のＵＥ１１５−ａ（および他のＵＥ）がそのＳＲ性能を改善することを可能にし得る。
【００７５】
[0081]図３は、様々な実施形態による、ワイヤレス通信を管理するために使用され得るＵＥ１１５−ｂの別の例を示すブロック図３００である。ＵＥ１１５−ｂは、図１および／または図２を参照しながら説明したＵＥ１１５の１つまたは複数の態様の一例であり得る。ＵＥ１１５−ｂは、ＵＥ受信機モジュール２０５、ＵＥ  ＳＲ管理モジュール２１０−ａ、および／またはＵＥ送信機モジュール２１５を含み得る。これらの構成要素の各々は互いに通信し得る。
【００７６】
[0082]ＵＥ１１５−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７７】
[0083]ＵＥ受信機モジュール２０５およびＵＥ送信機モジュール２１５は、図２に関して説明したものと同様に構成され得る。ＵＥ  ＳＲ管理モジュール２１０−ａは、ＳＲ性能コンパイルモジュール３０５および／または調整モジュール３１０を含み得る。ＳＲ性能コンパイルモジュール３０５は、第１のセットの１つまたは複数のＵＥ１１５のＳＲ性能に関する情報をコンパイルし得る。調整モジュール３１０は、第２のセットの１つまたは複数のＵＥのアップリンク電力制御設定の調整の識別をトリガするための情報の少なくともサブセットを送信し得る。いくつかの実施形態では、ＵＥ１１５−ｂは第１のセットおよび第２のセットのうちの一方または両方のメンバーであり得る。したがって、いくつかの実施形態では、ＵＥ１１５−ｂについてＳＲ性能に関する情報がコンパイルされ得、他の実施形態では、ＵＥ１１５−ｂについてＳＲ性能に関する情報がコンパイルされ得ない。また、いくつかの実施形態では、調整モジュール３１０は、ＵＥ１１５−ｂ（またはＵＥのグループ）のアップリンク電力制御設定の調整の識別をトリガするための情報を送信し得、他の実施形態では、調整モジュール３１０は、ＵＥ１１５−ｂのアップリンク電力制御設定の調整の識別をトリガするための情報を送信し得ない。
【００７８】
[0084]場合によっては、第１のセットの１つまたは複数のＵＥは第１のセルに（すなわち、第１のｅＮＢのカバレージエリアに）あり得、第２のセットの１つまたは複数のＵＥは第１のセルとは異なる第２のセルにあり得る。このようにして、１つのセルにおけるＳＲ性能に関するコンパイルされた情報は、第２のセルにおける１つまたは複数のＵＥのアップリンク電力制御設定を調整するために使用され得る。
【００７９】
[0085]図４は、様々な実施形態による、ワイヤレス通信を管理するために使用され得るＵＥ１１５−ｃのまた別の例を示すブロック図４００である。ＵＥ１１５−ｃは、図１、図２、および／または図３を参照しながら説明したＵＥ１１５の１つまたは複数の態様の一例であり得る。ＵＥ１１５−ｃは、ＵＥ受信機モジュール２０５、ＵＥ  ＳＲ管理モジュール２１０−ｂ、および／またはＵＥ送信機モジュール２１５を含み得る。これらの構成要素の各々は互いに通信し得る。
【００８０】
[0086]ＵＥ１１５−ｃの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００８１】
[0087]ＵＥ受信機モジュール２０５およびＵＥ送信機モジュール２１５は、図２に関して説明したものと同様に構成され得る。ＵＥ  ＳＲ管理モジュール２１０−ｂは、ＳＲ性能コンパイルモジュール３０５−ａ、調整モジュール３１０−ａ、および／またはＳＲ生成モジュール４５５を含み得る。ＳＲ性能コンパイルモジュール３０５−ａは、ロギングモジュール４０５、統計コンパイルモジュール４１０、相関モジュール４１５、ランク付けモジュール４２０、ＳＲ品質決定モジュール４２５、要求生成モジュール４３０、および／または完全なＳＲ失敗決定モジュール４３５をさらに含み得る。
【００８２】
[0088]ロギングモジュール４０５は、成功したスケジューリング要求に先行する失敗したスケジューリング要求の数をログし得る。統計コンパイルモジュール４１０は、第１のセットの１つまたは複数のＵＥの各々の複数の成功したＳＲのうちの異なる成功したＳＲに先行する、第１のセットの１つまたは複数のＵＥの各々の失敗したＳＲの数に関する統計をコンパイルし得る。場合によっては、統計コンパイルモジュール４１０は、各ＵＥの（またはセットとしての複数のＵＥの）成功したＳＲに先行する失敗したスケジューリング要求の平均値または中央値を決定し得る。
【００８３】
[0089]いくつかの実施形態では、ＳＲは、ＰＵＣＣＨフォーマット１またはＰＵＣＣＨフォーマット１ａ／１ｂを使用して、ＵＥによって送られ／送信され得る。これらの実施形態では、ＰＵＣＣＨのためのアップリンク電力制御設定の適切な調整のより良い識別を可能にするために、失敗したＳＲをログし、各ＰＵＣＣＨフォーマットについての統計をコンパイルすることが有用であり得る。
【００８４】
[0090]相関モジュール４１５は、少なくとも１つの失敗したＳＲを少なくとも１つの無線周波（ＲＦ）測定値と相関させ得る。たとえば、失敗したＳＲは、基準信号受信電力（ＲＳＲＰ）、基準信号受信品質（ＲＳＲＱ）、経路損失または任意の他の無線周波（ＲＦ）測定値と相関し得る。相関モジュール４１５はまた、少なくとも１つの失敗したＳＲをＰＵＣＣＨフォーマットと相関させ得る。
【００８５】
[0091]ランク付けモジュール４２０は、各項目に関連付けられた信頼性レベルに基づいて、コンパイルされた情報の項目をランク付けし得る。次いで、より高くランク付けされた項目のサブセットは、電力制御設定の調整を生じさせるために、送信のために選択され得る。たとえば、ｅＮＢによってカバーされるエリアのエッジでのＵＥのＳＲ失敗には、ｅＮＢにより近いＵＥに対して生じるＳＲ失敗よりも低いランク付けが割り当てられ得る。
【００８６】
[0092]ＳＲ品質決定モジュール４２５は、ＳＲ性能の品質レベルを決定し得る。たとえば、ＳＲ品質決定モジュール４２５は、ＳＲ性能が良いか、悪いか、またはその中間あたりかを決定し得る。いくつかの実施形態では、アップリンクグラントを取得する前のＳＲ失敗の平均数が所定の数を下回るとき、ＳＲ性能は「良い」と見なされ得る。そうでなければ、ＳＲ性能は「悪い」と見なされ得る。「良い」か「悪い」かの決定など、二者択一の品質の決定の場合、品質レベルは単一ビットの情報で表され得る。場合によっては、この単一ビットの情報は、調整モジュール３１０−ａによって送信された情報のサブセットであり得る。
【００８７】
[0093]いくつかの実施形態では、要求生成モジュール４３０は、アップリンク電力制御設定調整要求を生成し得る。要求は、場合によっては、ＳＲ性能の決定された品質レベルに少なくとも部分的に基づき得る。要求はまた、１つまたは複数のＵＥのアップリンク電力制御設定の調整の識別をトリガするために送信された情報のサブセットであり得る。一実施形態では、１つまたは複数ＵＥは、そのそれぞれのＳＲ性能が許容できるか、または許容できないかを決定するために、コンパイルされた情報を処理し得る。別の実施形態では、情報はｅＮＢ１０５に送信され得、ｅＮＢ１０５は、ＵＥのＳＲ性能の品質にアクセスするために、情報を処理し得る。
【００８８】
[0094]完全なＳＲ失敗識別モジュール４３５は、失敗したＳＲの数がしきい値を満たすかどうかを決定し、失敗したスケジューリング要求の数がしきい値を満たすと決定すると、完全なスケジューリング要求失敗の指示を送信し得る。完全なスケジューリング要求失敗は、ＵＥ１１５が基地局の範囲外にある、または欠陥がある、または極端な干渉条件下にあるときに生じ得る。完全なＳＲ失敗を識別するかまたは分離することは、ＳＲ性能のより良い概観をもたらすのに役立ち得る。
【００８９】
[0095]調整モジュール３１０−ａは、公称電力調整モジュール４４０、差分電力調整モジュール４４５、および／または電力命令解析モジュール４５０を含み得る。公称電力調整モジュール４４０は、調整された公称電力値をＵＥ受信機モジュール２０５を介して受信し、調整された公称電力値に従ってアップリンク電力制御設定を調整するように構成され得る。差分電力調整モジュール４４５は、電力修正差分をＵＥ受信機モジュール２０５を介して受信し、電力修正差分に従ってアップリンク電力制御設定を調整するように構成され得る。電力命令解析モジュール４５０は、電力修正命令をＵＥ受信機モジュール２０５を介して受信し、電力修正命令に従ってアップリンク電力制御設定を維持するように構成され得る。
【００９０】
[0096]ＳＲ生成モジュール４５５は、新しいＳＲを生成し、ネットワーク上で新しいＳＲをＵＥ送信機モジュール２１５を介して送るように構成され得る。
【００９１】
[0097]次に図５を参照すると、ブロック図５００は、様々な実施形態による、ワイヤレス通信を管理し、ＵＥのＳＲがｅＮＢ１０５−ａによって受信される可能性を高めるために使用され得るｅＮＢ１０５−ａを示している。ｅＮＢ１０５−ａは、図１を参照しながら説明したｅＮＢ１０５の１つまたは複数の態様の一例であり得る。ｅＮＢ１０５−ａは、ｅＮＢ受信機モジュール５０５、ｅＮＢ  ＳＲ管理モジュール５１０、および／またはｅＮＢ送信機モジュール５１５を含み得る。これらの構成要素の各々は互いに通信し得る。
【００９２】
[0098]ｅＮＢ１０５−ａの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９３】
[0099]ｅＮＢ受信機モジュール５０５はセルラー受信機であり得、場合によっては、ＬＴＥ／ＬＴＥ−Ａ受信機であり得る。ｅＮＢ受信機モジュール５０５は、図１に示すワイヤレス通信システム１００などのワイヤレス通信システムを介して様々なタイプのデータおよび／または制御信号を受信するために使用され得る。データおよび／または制御信号は、アップリンクグラントのためのリソースの利用可能性を要求するＳＲを含み得る。場合によっては、ｅＮＢ受信機モジュール５０５は、複数のＵＥの各々から受信された情報を抽出するようにＭＡＣヘッダフィールドを処理し得る。
【００９４】
[0100]ｅＮＢ送信機モジュール５１５はまた、セルラー送信機であり得、場合によっては、ＬＴＥ／ＬＴＥ−Ａ送信機であり得る。ｅＮＢ送信機モジュール５１５は、ワイヤレス通信システム１００などのワイヤレス通信システムを介して様々なタイプのデータおよび／または制御信号を送信するために使用され得る。データおよび／または制御信号はアップリンクグラントを含み得る。
【００９５】
[0101]ｅＮＢ  ＳＲ管理モジュール５１０は、ｅＮＢ受信機モジュール５０５を介して、第１の複数のＵＥの各々から、ＳＲを送信するためのアップリンク電力制御設定の調整の識別をトリガするための情報を受信するように構成され得る。ｅＮＢ  ＳＲ管理モジュール５１０はまた、受信された情報を解析し、第２の複数のＵＥ１１５のうちの少なくとも１つに対するアップリンク電力制御設定のための電力調整を識別するように構成され得る。ｅＮＢ  ＳＲ管理モジュール５１０は、ｅＮＢ送信機モジュール５１５を介して、識別された電力調整を第２の複数のＵＥ１１５のうちの少なくとも１つに送信するようにさらに構成され得る。電力調整が識別される第２の複数のＵＥ１１５のうちの少なくとも１つは、ＳＲを送信するためのアップリンク電力制御設定の調整の識別をトリガするための情報が受信される第１の複数のＵＥのうちの１つまたは複数を含んでもよく、含まなくてもよい。
【００９６】
ｅＮＢ１０５−ａは、いくつかの実施形態では、（たとえば、ＳＲ要求を送信するのが困難であると決定され得る単一のデバイスのみのための電力を調整するかまたは最適化する代わりに）ワイヤレス通信システムを介してＳＲ要求を送信するための電力を調整するかまたは最適化するために使用され得る。
【００９７】
[0102]図６は、様々な実施形態による、ワイヤレス通信を管理するために使用され得るｅＮＢ１０５−ｂの別の例を示すブロック図６００である。ｅＮＢ１０５−ｂは、図１および／または図５を参照しながら説明したｅＮＢ１０５の１つまたは複数の態様の一例であり得る。ｅＮＢ１０５−ｂは、ｅＮＢ受信機モジュール５０５、ｅＮＢ  ＳＲ管理モジュール５１０−ａ、および／またはｅＮＢ送信機モジュール５１５を含み得る。これらの構成要素の各々は互いに通信し得る。
【００９８】
[0103]ｅＮＢ１０５−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００９９】
[0104]ｅＮＢ受信機モジュール５０５およびｅＮＢ送信機モジュール５１５は、図５に関して説明したものと同様に構成され得る。ｅＮＢ  ＳＲ管理モジュール５１０−ａは、解析モジュール６０５、電力調整識別モジュール６１０、および／または干渉調整識別モジュール６１５を含み得る。解析モジュール６０５は、ｅＮＢ受信機モジュールを介して、第１の複数のＵＥの各々から、ＳＲを送信するためのアップリンク電力制御設定の調整の識別をトリガするための情報を受信するように構成され得る。場合によっては、情報は、成功したスケジューリング要求に先行する失敗したスケジューリング要求の数、または成功したスケジューリング要求に先行する失敗したスケジューリング要求の平均数など、スケジューリング要求性能に関する情報を含み得る。解析モジュール６０５はまた、受信された情報を解析するように構成され得る。これは、たとえば、すべての複数のＵＥにおける受信された情報の統計分布を決定することによって行われ得る。場合によっては、完全なスケジューリング要求失敗に関する情報は、解析モジュール６０５によって実行される解析から分離され得る。たとえば、完全なスケジューリング要求失敗は機能的な問題または極端な干渉条件によるものである傾向があり、したがって、これらのインスタンスを解析から分離することは実際に改善され得るワイヤレス通信システム性能（たとえば、ネットワーク性能）のより良い指示をもたらすことができるので、完全なスケジューリング要求失敗に関する情報は解析から分離され得る。
【０１００】
[0105]場合によっては、スケジューリング要求性能に関する情報は、各スケジューリング要求に関連付けられたＰＵＣＣＨフォーマットに少なくとも部分的に基づいて分類され得る。これらの場合、解析モジュール６０５は、これらの分類に基づいて、その解析を実行し得る。たとえば、解析モジュール６０５は、ＰＵＣＣＨフォーマットごとに（たとえば、フォーマット１ごとにまたはフォーマット１ａ／１ｂごとに）その解析を行うことができる。
【０１０１】
[0106]電力調整識別モジュール６１０は、解析モジュール６０５から解析を受信し、第２の複数のＵＥ１１５のうちの少なくとも１つに対するアップリンク電力制御設定のための電力調整を識別するように構成され得る。識別された電力調整は、たとえば、調整された公称電力値、電力修正差分、または、スケジューリング要求のアップリンク送信のための送信電力を上げるための命令もしくはスケジューリング要求のアップリンク送信のための送信電力を下げるための命令などの電力修正命令であり得る。電力調整識別モジュール６１０は、識別された電力調整を、ｅＮＢ送信モジュール５１５を介して、第２の複数のＵＥ１１５のうちの少なくとも１つに送信するようにさらに構成され得る。
【０１０２】
[0107]干渉調整識別モジュール６１５は、解析モジュール６０５から解析を受信し、そのそれぞれのｅＮＢに関連付けられてもよく関連付けられなくてもよい特定のＵＥからの干渉を調整するように構成され得る。たとえば、干渉調整識別モジュール６１５は、解析モジュール６０５によって提供された解析から、そのそれぞれのｅＮＢに関連付けられた特定のＵＥからのＳＲ送信が少なくとも１つの他のＵＥからのＳＲ送信に干渉していると決定し得る。次いで、干渉調整識別モジュール６１５は、干渉送信を有するＵＥに、ｅＮＢへのアップリンク送信のための送信電力を低減し、それによって、少なくとも１つの他のＵＥに対する干渉を低減するよう命令し得る。別の例として、干渉調整識別モジュール６１５は、解析モジュール６０５によって提供された解析から、隣接ｅＮＢに関連付けられた特定のＵＥからのＳＲ送信が少なくとも１つの他のＵＥからのＳＲ送信に干渉していると決定し得る。より詳細には、干渉調整識別モジュール６１５は、隣接ｅＮＢによってサービスされている１つまたは複数のＵＥに隣接ｅＮＢへのアップリンク送信のための送信電力を低減するよう命令することを隣接ｅＮＢに要求するために、要求を隣接セルにサービスする隣接ｅＮＢに送信し得る。
【０１０３】
[0108]図７〜図１２は、様々な実施形態による、ＵＥとｅＮＢとの間のメッセージフローの様々な例を示す。ＵＥは、図１、図２、図３、および／または図４に示すＵＥ１１５のうちの１つの一例であり得る。ｅＮＢは、図１、図５、および／または図６に示すｅＮＢ１０５のうちの１つの一例であり得る。
【０１０４】
[0109]最初に図７を参照すると、流れ図７００が示されている。例示的なメッセージフローとの一致において、第１のＳＲ７０５−ａ−１はＵＥ１１５−ｄからｅＮＢ１０５−ｃに送られる。しかしながら、ＳＲ７０５−ａ−１はＮＢ１０５−ｃによって受信されないことがあり、所定の時間の後、ブロック７１０−ａ−１において、ＵＥ１１５−ｄはＳＲカウンタを増分し得る。次いで、ＵＥ１１５−ｄは、第２のＳＲ７０５−ａ−２をｅＮＢ１０５−ｃに送り得る。ＳＲ７０５−ａ−２もｅＮＢ１０５−ｃによって受信されないことがあり、所定の時間の後、ブロック７１０−ａ−２において、ＵＥ１１５−ｄはＳＲカウンタを再び増分し得る。このプロセスは、たとえば、アップリンクグラントを取得するための何らかの所定の最大数の試行が行われるまで継続し得る。
【０１０５】
[0110]何らかの任意の数のＳＲが送られた後、アップリンクグラント７１５が受信され得る。しかしながら、場合によっては、アップリンクグラント７１５が受信されないことがあることに留意されたい。アップリンクグラント７１５を受信するか、または最大数のＳＲを送った後、ブロック７２０において、ＳＲ性能に関する情報がコンパイルされ得る。情報は、たとえば、図２、図３、および／または図４を参照しながら説明したようにコンパイルされ得る。次いで、ＳＲ性能に関する情報７２５は、ｅＮＢ１０５−ｃまたは何らかの他のデバイスに送られ得る。ＳＲ性能に関する情報７２５は、ＵＥ１１５−ｄがその送信を開始した後に（たとえば、ＵＥ１１５−ｄがアップリンクグラントを要求し、受信した後に）、またはｅＮＢ１０５−ｃから情報についての要求を受信した後に送られ得る。ＳＲ性能に関する情報７２５はまた、場合によっては、情報が関連しきい値を超える（たとえば、ＳＲ性能が十分に悪い）と決定した後に送られ得る。他の場合には、ＳＲ性能に関する情報７２５は、その情報がＳＲ性能について示すものに関係なく送られ得る。
【０１０６】
[0111]次に図８を参照すると、別の流れ図８００が示されている。例示的なメッセージフローとの一致において、第１のＲ８０５−ａ−１はＵＥ１１５−ｅからｅＮＢ１０５−ｄに送られる。しかしながら、ＳＲ８０５−ａ−１はｅＮＢ１０５−ｄによって受信されず、所定の時間の後、ブロック８１０−ａ−１において、ＵＥ１１５−ｅはＳＲカウンタを増分する。次いで、ＵＥ１１５−ｅは第２のＳＲ８０５−ａ−２をｅＮＢ１０５−ｄに送る。ＳＲ８０５−ａ−２もｅＮＢ１０５−ｄによって受信されず、所定の時間の後、ブロック８１０−ａ−２において、ＵＥ１１５−ｅはＳＲカウンタを再び増分する。このプロセスは、たとえば、アップリンクグラントを取得するための何らかの所定の最大数の試行が行われるまで継続し得る。
【０１０７】
[0112]何らかの任意の数のＳＲが送られた後、アップリンクグラント８１５が受信され得る。しかしながら、場合によっては、アップリンクグラント８１５が受信されないことがあることに留意されたい。アップリンクグラント８１５を受信するか、または最大数のＳＲを送った後、ブロック８２０において、ＳＲ性能に関する情報がコンパイルされ得る。情報は、たとえば、図２、図３、または図４を参照しながら説明したようにコンパイルされ得る。次いで、ＳＲ性能に関する情報８２５は、ｅＮＢ１０５−ｄまたは何らかの他のデバイスに送られ得る。ＳＲ性能に関する情報８２５は、ＵＥ１１５−ｅがその送信を開始した後に（たとえば、ＵＥ１１５−ｅがアップリンクグラントを要求し、受信した後に）、またはｅＮＢ１０５−ｄから情報についての要求を受信した後に送られ得る。ＳＲ性能に関する情報８２５はまた、場合によっては、情報が関連しきい値を超える（たとえば、ＳＲ性能が十分に悪い）と決定した後に送られ得る。他の場合には、ＳＲ性能に関する情報８２５は、その情報がＳＲ性能について示すものに関係なく送られ得る。ＳＲ性能に関する情報がｅＮＢ１０５−ｄによって受信され、解析されたことに応答して、場合によっては、情報が他のＵＥ１１５から受信されたＳＲ性能と組み合わせて解析されたことに応答して、ＵＥ１１５−ｅおよび／またはいくつかの他のＵＥ１１５は調整された公称電力値を受信し得る。８３０。次いで、ブロック８３５において、ＵＥは、調整された公称電力値８３０を使用して、アップリンク電力制御設定を調整し得る。このようにして、例として、ＵＥは、そのＳＲをより高い電力で送ることが可能であり得、それによって、アップリンクグラントを取得するためのより少ない試行の後でＳＲがｅＮＢ１０５−ｄにおいて受信される可能性を高める。
【０１０８】
[0113]次に図９を参照すると、別の流れ図９００が示されている。例示的なメッセージフローとの一致において、第１のＳＲ９０５−ａ−１はＵＥ１１５−ｆからｅＮＢ１０５−ｅに送られる。しかしながら、ＳＲ９０５−ａ−１はｅＮＢ１０５−ｅによって受信されず、所定の時間の後、ブロック９１０−ａ−１において、ＵＥ１１５−ｆはＳＲカウンタを増分する。次いで、ＵＥ１１５−ｆは第２のＳＲ９０５−ａ−２をｅＮＢ１０５−ｅに送る。ＳＲ９０５−ａ−２もｅＮＢ１０５−ｅによって受信されず、所定の時間の後、ブロック９１０−ａ−２において、ＵＥ１１５−ｆはＳＲカウンタを再び増分する。このプロセスは、たとえば、アップリンクグラントを取得するための何らかの所定の最大数の試行が行われるまで継続し得る。
【０１０９】
[0114]何らかの任意の数のＳＲが送られた後、アップリンクグラント９１５が受信され得る。しかしながら、場合によっては、アップリンクグラント９１５が受信されないことがあることに留意されたい。アップリンクグラント９１５を受信するか、または最大数のＳＲを送った後、ブロック９２０において、ＳＲ性能に関する情報がコンパイルされ得る。情報は、たとえば、図２、図３、または図４を参照しながら説明したようにコンパイルされ得る。次いで、ＳＲ性能に関する情報９２５は、ｅＮＢ１０５−ｅまたは何らかの他のデバイスに送られ得る。ＳＲ性能に関する情報９２５は、ＵＥ１１５−ｆがその送信を開始した後に（たとえば、ＵＥ１１５−ｆがアップリンクグラントを要求し、受信した後に）、またはｅＮＢ１０５−ｅから情報についての要求を受信した後に送られ得る。ＳＲ性能に関する情報９２５はまた、場合によっては、情報が関連しきい値を超える（たとえば、ＳＲ性能が十分に悪い）と決定した後に送られ得る。他の場合には、ＳＲ性能に関する情報９２５は、その情報がＳＲ性能について示すものに関係なく送られ得る。ＳＲ性能に関する情報がｅＮＢ１０５−ｅによって受信され、解析されたことに応答して、場合によっては、情報が他のＵＥ１１５から受信されたＳＲ性能と組み合わせて解析されたことに応答して、ＵＥ１１５−ｆおよび／またはいくつかの他のＵＥ１１５は差分電力修正値９３０（たとえば、ＵＥ１１５−ｆがＳＲを送るためのその電力を上げるまたは下げるべきである差分の指示を受信し得る。次いで、ＵＥは、ブロック９３５において、差分電力修正値９３０を使用して、アップリンク電力制御設定を調整し得る。このようにして、例として、ＵＥはそのＳＲをより高い電力で送ることが可能であり得、それによって、アップリンクグラントを取得するためのより少ない試行の後でＳＲがｅＮＢ１０５−ｅにおいて受信される可能性を高める。
【０１１０】
[0115]図１０を参照すると、別の流れ図１０００が示されている。例示的なメッセージフローとの一致において、第１のＳＲ１００５−ａ−１がＵＥ１１５−ｇからｅＮＢ１０５−ｆに送られる。しかしながら、ＳＲ１００５−ａ−１はｅＮＢ１０５−ｆによって受信されず、所定の時間の後、ブロック１０１０−ａ−１において、ＵＥ１１５−ｇはＳＲカウンタを増分する。次いで、ＵＥ１１５−ｇは第２のＳＲ１００５−ａ−２をｅＮＢ１０５−ｆに送る。ＳＲ１００５−ａ−２もｅＮＢ１０５−ｆによって受信されず、所定の時間の後、ブロック１０１０−ａ−２において、ＵＥ１１５−ｇはＳＲカウンタを再び増分する。このプロセスは、たとえば、アップリンクグラントを取得するための何らかの所定の最大数の試行が行われるまで継続し得る。
【０１１１】
[0116]何らかの任意の数のＳＲが送られた後、アップリンクグラント１０１５が受信され得る。しかしながら、場合によっては、アップリンクグラント１０１５が受信されないことがあることに留意されたい。アップリンクグラント１０１５を受信するか、または最大数のＳＲを送った後、ブロック１０２０において、ＳＲ性能に関する情報がコンパイルされ得る。情報は、たとえば、図２、図３、または図４を参照しながら説明したようにコンパイルされ得る。次いで、ＳＲ性能に関する情報１０２５は、ｅＮＢ１０５−ｆまたは何らかの他のデバイスに送られ得る。ＳＲ性能に関する情報１０２５は、ＵＥ１１５−ｇがその送信を開始した後に（たとえば、ＵＥ１１５−ｇがアップリンクグラントを要求し、受信した後に）、またはｅＮＢ１０５−ｆから情報についての要求を受信した後に送られ得る。ＳＲ性能に関する情報１０２５はまた、場合によっては、情報が関連しきい値を超える（たとえば、ＳＲ性能が十分に悪い）と決定した後に送られ得る。他の場合には、ＳＲ性能に関する情報１０２５は、その情報がＳＲ性能について示すものに関係なく送られ得る。ＳＲ性能に関する情報がｅＮＢ１０５−ｆによって受信され、解析されたことに応答して、場合によっては、情報が他のＵＥ１１５から受信されたＳＲ性能と組み合わせて解析されたことに応答して、ＵＥ１１５−ｇおよび／またはいくつかの他のＵＥは送信電力制御（ＴＰＣ）コマンド１０３０を受信し得る。次いで、ブロック１０３５において、ＵＥは、ＴＰＣコマンド１０３０に基づいてアップリンク電力制御設定を調整し得る。このようにして、例として、ＵＥはそのＳＲをより高い電力で送ることが可能であり得、それによって、アップリンクグラントを取得するためのより少ない試行の後でＳＲがｅＮＢ１０５−ｆにおいて受信される可能性を高める。
【０１１２】
[0117]次に図１１を参照すると、流れ図１１００が示されている。例示的なメッセージフローとの一致において、第１のＳＲ１１０５−ａ−１がＵＥ１１５−ｈからｅＮＢ１０５−ｇに送られる。しかしながら、ＳＲ１１０５−ａ−１はｅＮＢ１０５−ｇによって受信されず、所定の時間の後、ブロック１１１０−ａ−１において、ＵＥ１１５−ｈはＳＲカウンタを増分する。次いで、ＵＥ１１５−ｈは第２のＳＲ１１０５−ａ−２をｅＮＢ１０５−ｇに送る。ＳＲ１１０５−ａ−２もｅＮＢ１０５−ｈによって受信されず、所定の時間の後、ブロック１１１０−ａ−２において、ＵＥ１１５−ｈはＳＲカウンタを再び増分する。このプロセスは、たとえば、アップリンクグラントを取得するための何らかの所定の最大数の試行が行われるまで継続し得る。
【０１１３】
[0118]何らかの任意の数のＳＲが送られた後、アップリンクグラント１１１５が受信され得る。しかしながら、場合によっては、アップリンクグラント１１１５が受信されないことがあることに留意されたい。アップリンクグラント１１１５を受信するか、または最大数のＳＲを送った後、ブロック１１２０において、ＳＲ性能の品質レベルが決定され得る。品質レベルは、たとえば、品質レベルが「良い」または「悪い」という指示であり得る。品質が二者択一の選択肢（すなわち、「良い」または「悪い」）から選択されるそのような場合、品質レベル１１２５を表す単一ビットの情報はｅＮＢ１０５−ｈまたは何らかの他のデバイスに送られ得る。情報のビット１１２５は、ＵＥ１１５−ｈがその送信を開始した後に（たとえば、ＵＥ１１５−ｈがアップリンクグラントを要求し、受信した後に）、またはＵＥ１１５−ｈがＮＢ１０５−ｇから情報についての要求を受信した後に送られ得る。情報のビット１１２５がｅＮＢ１０５−ｇによって受信され、解析されたことに応答して、場合によっては、情報のビット１１２５が他のＵＥ１１５から受信されたＳＲ性能と組み合わせて解析されたことに応答して、ＵＥ１１５−ｈおよび／または他のＵＥ１１５は、ｅＮＢ１０５−ｇから電力調整情報１１３０を受信し得る。電力調整情報１１３０は、ＳＲを送るためのアップリンク電力制御設定を調整するために使用され得る。
【０１１４】
[0119]図１２を参照すると、流れ図１２００が示されている。例示的なメッセージフローとの一致において、第１のＳＲ１２０５−ａ−１がＵＥ１１５−ｉからｅＮＢ１０５−ｈに送られる。しかしながら、ＳＲ１２０５−ａ−１はｅＮＢ１０５−ｈによって受信されず、所定の時間の後、ブロック１２１０−ａ−１において、ＵＥ１１５−ｉはＳＲカウンタを増分する。次いで、ＵＥ１１５−ｉは第２のＳＲ１２０５−ａ−２をｅＮＢ１０５−ｈに送る。ＳＲ１２０５−ａ−２もｅＮＢ１０５−ｈによって受信されず、所定の時間の後、ブロック１２１０−ａ−２において、ＵＥ１１５−ｉはＳＲカウンタを再び増分する。このプロセスは、たとえば、アップリンクグラントを取得するための何らかの所定の最大数の試行が行われるまで継続し得る。
【０１１５】
[0120]何らかの任意の数のＳＲが送られた後、アップリンクグラント１２１５が受信され得る。しかしながら、場合によっては、アップリンクグラント１２１５が受信されないことがあることに留意されたい。アップリンクグラント１２１５が受信されるか、または最大数のＳＲを送った後、ＳＲ性能が評価され得、悪い場合、ブロック１２２０において、アップリンク電力制御設定調整要求が生成され得る。アップリンク電力制御設定調整要求１２２５は、ｅＮＢ１０５−ｈまたは何らかの他のデバイスに送られ得る。アップリンク電力制御設定調整要求１２２５は、ＵＥ１１５−ｉがその送信を開始した後に（たとえば、ＵＥ１１５−ｉがアップリンクグラントを要求し、受信した後に）送られ得る。アップリンク電力制御設定調整要求１２２５が、ｅＮＢ１０５−ｈによって受信され、影響を及ぼされたことに応答して、場合によっては、ＳＲ性能に関する情報が他のＵＥから受信されたことに応答して、ＵＥ１１５−ｉおよび／または他のＵＥ１１５は、ｅＮＢ１０５−ｈから電力調整情報１２３０を受信し得る。電力調整情報１２３０は、ＳＲを送るためのアップリンク電力制御設定を調整するために使用され得る。
【０１１６】
[0121]図１３は、ｅＮＢ１０５−ｉとＵＥ１１５−ｊとを含むＭＩＭＯ通信システム１３００のブロック図である。システム１３００は、図１のシステム１００と、図１、図２、図３、図４、および／または図７〜図１２のＵＥ１１５と、図１、図５、図６、および／または図７〜図１２のｅＮＢ１０５との態様を示し得る。ｅＮＢ１０５−ｉはアンテナ１３３４−ａ〜１３３４−ｘを備え得、ＵＥ１１５−ｊはアンテナ１３５２−ａ〜１３５２−ｎを備え得る。システム１３００では、ｅＮＢ１０５−ｉは複数の通信リンクを介して同時にデータを送ることが可能であり得る。各通信リンクは「レイヤ」と呼ばれることがあり、通信リンクの「ランク」は、通信のために使用されるレイヤの数を示し得る。たとえば、ｅＮＢ１０５−ｉが２つの「レイヤ」を送信する２×２ＭＩＭＯシステムでは、ｅＮＢ１０５−ｉとＵＥ１１５−ｊとの間の通信リンクのランクは２である。
【０１１７】
[0122]基地局（またはｅＮＢ）１０５−ｉにおいて、送信プロセッサ１３２０はデータソースからデータを受信し得る。送信プロセッサ１３２０はデータを処理し得る。送信プロセッサ１３２０はまた、基準シンボルと、セル固有の基準信号とを生成し得る。送信（ＴＸ）ＭＩＭＯプロセッサ１３３０は、適用可能な場合、データシンボル、制御シンボル、および／または基準シンボルに対して空間処理（たとえば、プリコーディング）を実行し得、出力シンボルストリームを送信変調器１３３２−ａ〜１３３２−ｘに与え得る。各変調器１３３２は、出力サンプルストリームを取得するために、（たとえば、ＯＦＤＭなどのために）それぞれの出力シンボルストリームを処理し得る。各変調器１３３２は、ダウンリンク（ＤＬ）信号を取得するために、出力サンプルストリームをさらに処理（たとえば、アナログ変換、増幅、フィルタ、およびアップコンバート）し得る。一例では、変調器１３３２−ａ〜１３３２−ｘからのＤＬ信号は、それぞれ、アンテナ１３３４−ａ〜１３３４−ｘを介して送信され得る。
【０１１８】
[0123]ＵＥ１１５−ｊにおいて、ＵＥアンテナ１３５２−ａ〜１３５２−ｎは、基地局１０５−ａからＤＬ信号を受信し得、受信された信号をそれぞれ復調器１３５４−ａ〜１３５４−ｎに与え得る。各復調器１３５４は、入力サンプルを取得するために、それぞれの受信された信号を調整（たとえば、フィルタ、増幅、ダウンコンバート、およびデジタル化）し得る。各復調器１３５４は、受信シンボルを取得するために、（たとえば、ＯＦＤＭなどのために）入力サンプルをさらに処理し得る。ＭＩＭＯ検出器１３５６は、受信シンボルをすべての復調器１３５４−ａ〜１３５４−ｎから取得し、適用可能な場合、受信シンボルに対してＭＩＭＯ検出を実行し、検出シンボルを与え得る。受信プロセッサ１３５８は、検出シンボルを処理（たとえば、復調、デインターリーブ、および復号）して、ＵＥ１１５−ｊについての復号されたデータをデータ出力に与え、復号された制御情報をプロセッサ１３８０、またはメモリ１３８２に与え得る。示されているように、プロセッサ１３８０は、図２、図３、および／または図４に示すＵＥ  ＳＲ管理モジュール２１０の機能を実装するためのＵＥ  ＳＲ管理モジュール２１０−ｃを含み得る。
【０１１９】
[0124]アップリンク（ＵＬ）上で、ＵＥ１１５−ｊにおいて、送信プロセッサ１３６４は、データソースからデータを受信し、処理し得る。送信プロセッサ１３６４はまた、基準信号のための基準シンボルを生成し得る。送信プロセッサ１３６４からのシンボルは、適用可能な場合、送信ＭＩＭＯプロセッサ１３６６によってプリコードされ、復調器１３５４−ａ〜１３５４−ｎによって（たとえば、ＳＣ−ＦＤＭＡなどのために）さらに処理され、基地局１０５−ｉから受信された送信パラメータに従って基地局１０５−ｉに送信され得る。基地局１０５−ａにおいて、ＵＥ１１５−ｊからのＵＬ信号がアンテナ１３３４によって受信され、復調器１３３２によって処理され、適用可能な場合、ＭＩＭＯ検出器１３３６によって検出され、受信プロセッサによってさらに処理され得る。受信プロセッサ１３３８は、復号されたデータをデータ出力とプロセッサ１３４０とに与え得る。示されているように、プロセッサ１３４０は、図５および／または図６に示すｅＮＢ  ＳＲ管理モジュール５１０の機能を実装するためのｅＮＢ  ＳＲ管理モジュール５１０−ｂを含み得る。ＵＥ１１５−ｊの構成要素は、個別にまたは集合的に、ハードウェア中の適用可能な機能の一部または全部を実行するように適応された１つまたは複数の特定用途向け集積回路（ＡＳＩＣ）を用いて実装され得る。言及したモジュールの各々は、システム１３００の動作に関する１つまたは複数の機能を実行するための手段であり得る。同様に、基地局１０５−ｉの構成要素は、個別にまたは集合的に、ハードウェア中の適用可能な機能の一部または全部を実行するように適応された１つまたは複数の特定用途向け集積回路（ＡＳＩＣ）を用いて実装され得る。言及した構成要素の各々は、システム１３００の動作に関する１つまたは複数の機能を実行するための手段であり得る。
【０１２０】
[0125]様々な開示される実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するためにパケットセグメンテーションとリアセンブリとを実行し得る。媒体アクセス制御（ＭＡＣ）レイヤは、優先度処理とトランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１２１】
[0126]図１４は、ワイヤレス通信を管理するための方法１４００の一例を示すフローチャートである。明快のために、方法１４００について、図１、図２、図３、図４、図７、図８、図９、図１０、図１１、図１２、および／または図１３に示すＵＥ１１５のうちの１つを参照しながら以下で説明する。一実装形態では、ＵＥ  ＳＲ管理モジュール２１０は、以下で説明される機能を実行するようにＵＥ１１５の機能要素を制御するためのコードの１つまたは複数のセットを実行し得る。
【０１２２】
[0127]ブロック１４０５において、第１のセットのＵＥ１１５のＳＲ性能に関する情報がコンパイルされる。いくつかの実施形態では、第１のセットのＵＥ１１５は、１つのみのＵＥ１１５を含み得る。
【０１２３】
[0128]ブロック１４１０において、情報の少なくともサブセットは、第２のセットの１つまたは複数のＵＥ１１５のアップリンク電力制御設定の調整の識別をトリガするために送信される。第２のセットのＵＥ１１５も１つのみのＵＥ１１５を含み得、場合によっては、同じＵＥ１１５が第１のセットのＵＥ１１５と第２のセットのＵＥ１１５の両方を定義し得る。他の場合では、１つまたは複数のＵＥ１１５のセットは、部分的にまたは完全に重複していてもよい（たとえば、第２のセットのＵＥは、第１のセットのＵＥを含み得る）。
【０１２４】
[0129]方法１４００は、ＵＥのＳＲがｅＮＢ１０５によって受信される可能性を高める方法を提供し得る。方法１４００は一実装形態にすぎないこと、および方法１４００の動作は、他の実装形態が可能であるように並べ替えられるかまたは場合によっては修正され得ることに留意されたい。
【０１２５】
[0130]図１５は、図１４に示す方法１４００のより詳細な実装形態の一例１５００を示すフローチャートである。明快のために、方法１５００について、図１、図２、図３、図４、図７、図８、図９、図１０、図１１、図１２、および／または図１３に示すＵＥ１１５のうちの１つを参照しながら以下で説明する。一実装形態では、ＵＥ  ＳＲ管理モジュール２１０は、以下で説明される機能を実行するようにＵＥ１１５の機能要素を制御するためのコードの１つまたは複数のセットを実行し得る。
【０１２６】
[0131]ブロック１５０５において、第１のセットのＵＥ１１５のＳＲ性能に関する情報がコンパイルされ得、ブロック１４１０において、情報の少なくともサブセットが第２のセットの１つまたは複数のＵＥ１１５のアップリンク電力制御設定の調整の識別をトリガするために送信される。
【０１２７】
[0132]ブロック１５１５、１５２０、または１５２５において、いくつかの情報項目のうちの１つが受信され得る。ブロック１５１５において、調整された公称電力値が受信され得る。ブロック１５２０において、電力修正差分が受信され得る。ブロック１５２５において、電力修正命令が受信され得る。様々な実施形態では、ブロック１５１５、１５２０、または１５２５で参照された情報項目のうちの１つまたはすべてが受信され得るか、いずれも受信され得ない。ブロック１５３０において、アップリンク電力制御設定は、受信された調整または命令に従って維持されるか、または調整される。
【０１２８】
[0133]いくつかの実施形態では、ブロック１５１５、１５２０、または１５２５で参照された情報項目はＭＡＣレイヤプロトコルデータユニット（ＰＤＵ）においてまたは上位レイヤにおいて受信され得、場合によっては、情報項目はアプリケーションデータとして受信され得る。
【０１２９】
[0134]方法１５００は、ＵＥのＳＲがｅＮＢ１０５によって受信される可能性を高める方法を提供し得る。方法１５００は一実装形態にすぎないこと、および方法１５００の動作は、他の実装形態が可能であるように並べ替えられるかまたは場合によっては修正され得ることに留意されたい。
【０１３０】
[0135]図１６は、図１４に示す方法１４００のより詳細な実装形態の別の例１６００を示すフローチャートである。明快のために、方法１６００について、図１、図２、図３、図４、図７、図８、図９、図１０、図１１、図１２、および／または図１３に示すＵＥ１１５のうちの１つを参照しながら以下で説明する。一実装形態では、ＵＥ  ＳＲ管理モジュール２１０は、以下で説明される機能を実行するようにＵＥ１１５の機能要素を制御するためのコードの１つまたは複数のセットを実行し得る。
【０１３１】
[0136]一実施形態では、第１のセットの１つまたは複数のＵＥのＳＲ性能に関する情報がコンパイルされ得る。これは、ブロック１６０５において、各成功したＳＲについて、成功したＳＲに先行する失敗したＳＲの数をログすることを含み得る。ブロック１６１０において、第１のセットの１つまたは複数のＵＥの各々の複数の成功したＳＲのうちの異なる成功したＳＲに先行する、第１のセットの１つまたは複数のＵＥの各々の失敗したＳＲの数に関する統計。次いで、ブロック１６１５において、ＳＲ性能の品質レベルが決定され得る（たとえば、「良い」、「悪い」、またはその間あたり）。品質レベルが二者択一の品質（たとえば、「良い」または「悪い」）である場合、ブロック１６２０において、品質レベルは単一ビットの情報で表され得る。
【０１３２】
[0137]ブロック１６２５において、ＳＲ性能の品質レベルを表す単一ビットの情報は、第２のセットの１つまたは複数のＵＥのアップリンク電力制御設定の調整の識別をトリガするために送信され得る。
【０１３３】
[0138]方法１６００は、ＵＥのＳＲがｅＮＢ１０５によって受信される可能性を高める方法を提供し得る。方法１６００は一実装形態にすぎないこと、および方法１６００の動作は、他の実装形態が可能であるように並べ替えられるかまたは場合によっては修正され得ることに留意されたい。
【０１３４】
[0139]図１７は、ワイヤレス通信を管理するための方法１７００の別の例を示すフローチャートである。明快のために、方法１７００について、図１、図５、図６、図７、図８、図９、図１０、図１１、図１２、および／または図１３に示すｅＮＢ１０５のうちの１つを参照しながら以下で説明する。一実装形態では、ｅＮＢ  ＳＲ管理モジュール５１０は、以下で説明される機能を実行するようにｅＮＢ１０５の機能要素を制御するためのコードの１つまたは複数のセットを実行し得る。
【０１３５】
[0140]ブロック１７０５において、スケジューリング要求を送信するためのアップリンク電力制御設定の調整の識別をトリガするための情報が、第１の複数のＵＥの各々から受信され得る。ブロック１７１０において、第１の複数のＵＥから受信された情報が解析され得る。これは、たとえば、すべての複数のＵＥにおける受信された情報の統計分布を決定することによって行われ得る。
【０１３６】
[0141]ブロック１７１５において、第２の複数のＵＥ１１５のうちの少なくとも１つに対するアップリンク電力制御設定のための電力調整が識別され得、次いで、ブロック１７２０において、識別された電力調整が第２の複数のＵＥ１１５のうちの少なくとも１つに送信され得る。
【０１３７】
[0142]方法１７００は、ＵＥのＳＲがｅＮＢ１０５によって受信され得る可能性を高める方法を提供し得る。方法１７００は一実装形態にすぎないこと、および方法１７００の動作は、他の実装形態が可能であるように並べ替えられるかまたは場合によっては修正され得ることに留意されたい。
【０１３８】
[0143]添付の図面に関して上記に記載した詳細な説明は、例示的な実施形態について説明しており、実装され得るまたは特許請求の範囲内に入る実施形態のみを表すものではない。この明細書全体にわたって使用される「例示的」という用語は、「例、事例、または例示の働きをすること」を意味し、「好ましい」または「他の実施形態よりも有利である」ことを意味しない。詳細な説明は、説明される技法の理解を与えるために、具体的な詳細を含む。しかしながら、これらの技法は、これらの具体的な詳細なしに実施され得る。場合によっては、説明される実施形態の概念を不明瞭にしないように、よく知られている構造およびデバイスがブロック図の形式で示される。
【０１３９】
[0144]本明細書で説明される技法は、セルラーワイヤレスシステムなどの様々なワイヤレス通信システム、ピアツーピアワイヤレス通信、ワイヤレスローカルアクセスネットワーク（ＷＬＡＮ）、アドホックネットワーク、衛星通信システム、および他のシステムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。一般に、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【０１４０】
[0145]ＣＤＭＡ技法を採用する無線アクセス技術の例は、ＣＤＭＡ２０００、ユニバーサル地上無線アクセス（ＵＴＲＡ）などを含む。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムの例は、モバイル通信用グローバルシステム（ＧＳＭ（登録商標））の様々な実装形態を含む。ＯＦＤＭおよび／またはＯＦＤＭＡを採用する無線アクセス技術の例は、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどを含む。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書で説明される技法は、上記のシステムおよび無線技術、ならびに他のシステムおよび無線技術に使用され得る。
【０１４１】
[0146]情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４２】
[0147]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。プロセッサは、場合によっては、メモリと電子通信していてもよく、メモリは、プロセッサによって実行可能な命令を記憶する。
【０１４３】
[0148]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４４】
[0149]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、一方ディスク（disc）は、データをレーザーで光学的に再生する。上記の組合せもコンピュータ可読媒体の範囲内に含まれる。
【０１４５】
[0150]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明される例および設計に限定されるべきでなく、本明細書で開示される原理および新規の特徴に合致する最も広い範囲を与えられるべきである。
【図１】
2016507989.tif 000008
【図２】
2016507989.tif 000009
【図３】
2016507989.tif 000010
【図４】
2016507989.tif 000011
【図５】
2016507989.tif 000012
【図６】
2016507989.tif 000013
【図７】
2016507989.tif 000014
【図８】
2016507989.tif 000015
【図９】
2016507989.tif 000016
【図１０】
2016507989.tif 000017
【図１１】
2016507989.tif 000018
【図１２】
2016507989.tif 000019
【図１３】
2016507989.tif 000020
【図１４】
2016507989.tif 000021
【図１５】
2016507989.tif 000022
【図１６】
2016507989.tif 000023
【図１７】
2016507989.tif 000024
【国際調査報告】
2016507989.tif 000025
2016507989.tif 000026
2016507989.tif 000027